(57)【特許請求の範囲】
【請求項１】
一本の垂直軸の回転しない中心軸（２）上で横に寝かせた状態で直交で二つの遠心ファン（１−１）と（１−２）を上と下で向かい合わせにして回転可能に設けそれぞれ反対方向に回転させるために、二つの遠心ファン（１−１）と（１−２）はボス（１−３）の外周に当分配列で放射状に複数枚の羽根（１−４）を取り付け、上の遠心ファン（１−１）のボス（１−３）の中心にはボス穴が開けられ、そのボス穴に入れる筒状の円筒軸（６）を設け、その円筒軸（６）はその上側の外径がボス穴の内径に同心で垂直に入ってボス（１−３）の上側に少し出て下側に長く出るように固定して取り付け、その円筒軸（６）の下側には傘歯車（８−１）を設け、その傘歯車（８−１）はその内径を円筒軸（６）の下側の外径に同心になるように歯の在る方を下向きに嵌めて固定して取り付け、下の遠心ファン（１−２）のボス（１−３）の中心にもボス穴が開けられ、そのボス穴に入れる円筒軸（６）を設け、その円筒軸（６）はその下側の外径がボス穴の内径に同心で垂直に入ってボス（１−３）の下側に少し出て上側に長く出るように固定して取り付け、その円筒軸（６）の上側には傘歯車を設け、その傘歯車（８−２）はその内径を円筒軸の上側の外径に同心になるように傘歯車（８−２）を歯の在る方を上向きに嵌めて固定して取り付け、それらを取り付けた上と下の遠心ファン（１−１）と（１−２）を向かい合わせで上と下で同心になる位置で上と下の遠心ファン（１−１）と（１−２）の円筒軸（６）の内径に一本の垂直軸の回転しない中心軸（２）を入れ、その中心軸（２）上で遠心ファン（１−１）と（１−２）の上と下の円筒軸（６）の傘歯車（８−１）と（８−２）の間に流体が遠心ファンに向かって来る方向を前側としてその反対側の中心軸（２）より後ろ側の水平方向から後記する他の伝動傘歯車（９−１）を歯の在る方を前にして噛み合って入る位置に設け、その伝動傘歯車（９−１）の位置で上と下の遠心ファン（１−１）と（１−２）とそれらの円筒軸（６）と傘歯車（８−１）と（８−２）を中心軸（２）上で回転可能に保持させることにより上の遠心ファン（１−１）の回転方向に対して下の遠心ファン（１−２）は反対方向に回転するようになり、上と下の円筒軸（６）の傘歯車（８−１）と（８−２）の間の後ろ側の水平方向から噛み合う伝動傘歯車（９−１）の内径に同心で設ける水平軸（９）の先端の外径を入れて固定して取り付け、その水平軸（９）の後端は発電機の回転軸（１１−１）や圧縮機の回転軸（１２−１）と直接的に、或いは他の軸や他の伝動部品と間接的に連結され発電機（１１）や圧縮機（１２）を動かすことを特徴とする流体による回転機関装置。
【請求項２】
一本の垂直軸の回転しない中心軸（２）上に直交で横にして寝かせた上と下の遠心ファン（１−１）と（１−２）を向かい合わせにした状態でそれらの遠心ファン（１−１）と（１−２）の上と下の円筒軸（６）の傘歯車（８−１）と（８−２）の間にその後ろ側の水平方向から他の伝動傘歯車（９−１）が噛み合って入る位置で上の遠心ファン（１−１）の回転方向に対して下の遠心ファン（１−２）は反対方向に回転して、前記伝動傘歯車（９−１）に水平軸（９）を固定して取り付け、その水平軸（９）は発電機の回転軸（１１−１）や圧縮機の回転軸（１２−１）と直接的、間接的に連結される回転機関装置において、上と下の遠心ファン（１−１）と（１−２）を流体の流力によって回転させるために、
上と下の遠心ファン（１−１）と（１−２）の間に流体が通る複数本の導管（３）を設け、それらの複数本の導管（３）は上と下の遠心ファン（１−１）と（１−２）の間の中心軸（２）の中心と上と下の遠心ファン（１−１）と（１−２）の外からの流体が導管に向かって来る方向の中心とを結んだ線を境として、その境で複数本の導管（３）を左右に分けて横に並べ、分けられた導管（３）は流体が向かって来る方向を前とする上の遠心ファン（１−１）の中心の前後の中心線より左右の片側の羽根（１−４）の真下の位置に向かう導管（３）とその羽根の真下の位置と上と下で斜め対称の位置になる下の遠心ファン（１−２）の中心の前後の中心線より左右の片側の羽根（１−４）の真上の位置に向かう導管（３）に分けられ、分けられた導管（３）は二つの遠心ファン（１−１）と（１−２）の外側の流体が来る方向を前側とする導管の入り口（３−１）から後ろ側にある上の遠心ファン（１−１）の羽根（１−４）の下の位置の導管の出口（３−２）と上と下で斜め対称の位置にある下の遠心ファン（１−２）の羽根（１−４）の上の位置の導管の出口（３−２）から流体が導管（３）を通る方向から斜めに羽根（１−４）に向かって流体を噴流するように取り付けることで固定した垂直軸の中心軸（２）上で上と下の遠心ファン（１−１）と（１−２）はそれぞれに反対方向に回転し、上と下の遠心ファン（１−１）と（１−２）の傘歯車（８−１）と（８−２）の間に流体が入る前側の導管の入り口（３−１）の反対側の中心軸（２）より後ろ側の水平方向から噛み合って入る他の伝動傘歯車（９−１）とその水平軸（９）の回転によって、水平軸（９）と発電機の回転軸（１１−１）や圧縮機の回転軸（１２−１）を直接的に連結するか、或いは水平軸（９）と発電機の回転軸（１１−１）や圧縮機の回転軸（１２−１）の間に他の軸や他の伝動部品を使って間接的に連結させ駆動させることにより発電機（１１）や圧縮機（１２）を動かすことを特徴とする請求項１記載の流体による回転機関装置。
【請求項３】
二つの遠心ファン（１−１）と（１−２）とそれらの遠心ファン（１−１）と（１−２）に取り付ける円筒軸（６）とそれらの円筒軸（６）に取り付ける傘歯車（８−１）と（８−２）と一本の中心軸（２）とその中心軸（２）が入る二本の円筒軸の傘歯車との間に中心軸（２）より後ろ側の水平方向から噛み合って入る他の伝動傘歯車（９−１）とその伝動傘歯車（９−１）に取り付ける水平軸（９）と複数本の導管（３）を取り付けるためにケーシング（４）と土台（５）を設け、そのケーシング（４）は流体が来る方向を前側として前側正面と横側側面から見て横長方形の角箱状のものであり、ケーシング（４）の前側になる正面の前板は取り去られており、ケーシング（４）の上板（４−１）と下板（４−２）の中心には上と下で同心の位置で中心穴（４−５）が開いており、それらの中心穴（４−５）は後記する遠心ファンの円筒軸（６）に取り付けた傘歯車（８）が接触しないように隙間を持って入るぐらいの大きさであり、二つの遠心ファン（１−１）と（１−２）はケーシングに入れない状態で複数枚の羽根を放射状に取り付けたボス（１−３）の中心にボス穴を設け、そのボス穴の内径に同心で円筒軸（６）の上側の外径が垂直に入りボス（１−３）の上に少し出てボス（１−３）の下に長くなるように固定して取り付けられ、その円筒軸（６）の下側の外径に同心になるように傘歯車（８）を歯の在る方を下向きにしてその内径を嵌めて固定して取り付けられ、さらに二つの遠心ファン（１−１）と（１−２）の放射状の複数枚の羽根（１−４）の上と下には流体が逃げないように円筒軸（６）と同心になるように円形のプレート（７）を取り付け一体化させるが、遠心ファンの上には円筒軸（６）と同心になるように円筒軸（６）の上側の外周が入る中心穴（７−５）を開けた円形の一枚プレート（７−１）を取り付け、遠心ファンの下には二つの円形の分離プレート（７−２）のボス（１−３）の下側と接する円筒軸（６）と同心になるように円筒軸（６）の外周が入る中心穴（７−５）を開けた中心側円形分離プレート（７−２−２）と円筒軸（６）に同心になるよう外周側円形分離プレート（７−２−１）を中心側円形分離プレート（７−２−２）の外径と外周側円形分離プレート（７−２−１）の内径との間で形成されたドーナツ状の空間（７−３）をおいて取り付け、複数枚の放射状の羽根（１−４）とボス（１−３）の上と下とを挟んで一体化させ、遠心ファンの下の二つの円形の分離プレート（７−２）の間のドーナツ状の空間（７−３）の内径から外径の半径方向の幅は後記するケーシング（４）の上板（４−１）と下板（４−２）の左右の片側半分にある中心穴（４−５）を基準としてその外側に設けた複数個の噴き出し口（４−６）の半径方向の幅の分だけ設けてあり、前記二つの遠心ファン（１−１）と（１−２）をそれぞれケーシングの上板（４−１）と下板（４−２）の中心穴（４−５）に向かい合わせで上と下で同心になるように傘歯車（８−１）と（８−２）側から入れ、向かい合わせにした上側と下側の遠心ファン（１−１）と（１−２）の上と下の円筒軸（６）の傘歯車（８−１）と（８−２）の間に後記する中心軸（２）より後ろ側の水平方向からの他の伝動傘歯車（９−１）が歯のある方を前にして噛み合って入る位置で下側の遠心ファン（１−１）の円筒軸（６）の内径の下側から上側の遠心ファン（１−２）の円筒軸の内径の上側まで中心軸（２）が通って入り、その中心軸（２）はケーシング（４）の下側に設けた土台（５）の中心側に垂直に固定して立てられ、土台（５）はその上にあるケーシング（４）の下側と間を取って前後左右平行になるように土台（５）の左右の両横側からケーシング支え板（５−１）を使ってそのケーシング支え板（５−１）の上側をケーシング（４）の左右の側面の横板（４−３）に固定して取り付けて支えるか、或いはケーシング支え板（５−１）の上側をケーシング（４）の下板（４−２）の左右の両横側に固定して取り付けて支えて、又、ケーシング（４）の中の上側と下側の遠心ファンの円筒軸（６）の傘歯車（８−１）と（８−２）の間には中心軸（２）より後ろ側の水平方向から他の伝動傘歯車（９−１）を歯のある方を前にして噛み合わさって入った位置で設け、その水平方向からの伝動傘歯車（９−１）はその内径に同心で設ける水平軸（９）の先端の外径を入れ固定して取り付け、その水平軸（９）は伝動傘歯車（９−１）より後ろ側のケーシング（４）の上板（４−１）と下板（４−２）の間で設けた筒状の軸受け（１０）の中で回転可能に取り付けられ、その筒状の軸受け（１０）はケーシング（４）の上板（４−１）と筒状の軸受け（１０）の上側の間とケーシング（４）の下板（４−２）と筒状の軸受け（１０）の下側の間で軸受け支え板（１０−２）で固定して取り付けたことにより、ケーシング（４）の上側と下側に設けた遠心ファン（１−１）と（１−２）がそれぞれに中心軸（２）上で反対方向に回転することによりケーシング（４）の中にある水平方向からの伝動傘歯車（９−１）とそれに取り付けた水平軸（９）が回転するようになり、ケーシング（４）の後ろ板（４−４）には水平軸の後側の延長線が突きあたる場所に穴（４−４−１）が開けてあり、水平軸（９）とその後ろの部分で発電機の回転軸（１１−１）や圧縮機の回転軸（１２−１）が穴に入ってケーシング（４）内で連結できるように、或いは長くした水平軸（９）がケーシング（４）の後ろ板の穴（４−４−１）から外へ出て発電機の回転軸（１１−１）や圧縮機の回転軸（１２−１）と連結できるようにしてあり、又、上記上側の遠心ファン（１−１）の羽根（１−４）の下のドーナツ状の空間（７−３）と下側の遠心ファン（１−２）の羽根（１−４）の上のドーナツ状の空間（７−３）からそれらの羽根（１−４）に向けて流体を噴流させるために、ケーシング（４）の中に複数本の導管（３）を設け、ケーシング（４）の前側正面から複数本の導管（３）を入れ、ケーシング（４）の中の前側正面の片側半分に入っている複数本の導管の出口（３−２）はケーシング（４）の上側の遠心ファン（１−１）のドーナツ状の空間（７−３）の複数枚の羽根（１−４）の下側の上板（４−１）に向かい、ケーシング（４）の中の残りの前側正面の片側半分に入っている複数本の導管（３）はケーシング（４）の下側の遠心ファン（１−２）のドーナツ状の空間（７−３）の複数枚の羽根（１−４）の上側の下板（４−２）に向かい、導管（３）の末端の出口（３−２）は上記した遠心ファン（１−１）と（１−２）の羽根（１−４）に取り付けられた二つの円形の分離プレート（７−２）の間のドーナツ状の空間（７−３）がケーシング（４）の上板（４−１）の左右の片側半分とその上板（４−１）と上と下で斜めに対称になる下板（４−２）の左右の片側半分に隙間を置いて重なる位置に設けた導管（３）と同数の複数個の噴き出し口（４−６）と繋がるが、上側の遠心ファン（１−１）がケーシング（４）の前側正面の上側から見て時計方向に回転する時は上板（４−１）の噴き出し口（４−６）は上板（４−１）の左側半分にあり、ケーシング（４）の前側正面の左側半分の複数本の導管（３）と繋がり、それらの導管（３）の上の上板（４−１）の左側半分とその上側の遠心ファン（１−１）の下の二つの円形の分離プレート（７−２）の間のドーナツ状の空間（７−３）と隙間を置いて重なる上板（４−１）の位置にケーシング（４）の中の左側半分に入っている複数本の導管（３）と同数で噴き出し口（４−６）をケーシングの中心穴（４−５）を基準として円周配列で複数個並べて設け、下板（４−２）の噴き出し口（４−６）はケーシング（４）の前側正面の上側から見て下板（４−２）の右側半分にあり、上板（４−１）の噴き出し口（４−６）と上と下で斜めに対称の位置になるように下側の遠心ファン（１−２）は上側の遠心ファン（１−１）の反対方向に回転するためケーシング（４）の中の右側半分の複数本の導管（３）と繋がり、それらの導管（３）の下の下板（４−２）の右側半分とその下側の遠心ファン（１−１）の上の二つの円形の分離プレート（７−２）の間のドーナツ状の空間（７−３）と隙間を置いて重なる下板（４−２）の位置にケーシング（４）の中の右側半分に入っている複数本の導管（３）と同数で噴き出し口（４−６）をケーシングの中心穴（４−５）を基準として円周配列で複数個並べて設けるが、上側の遠心ファン（１−１）がケーシング（４）の前側正面の上側から見て時計と反対方向に回転する時は上板（４−１）の噴き出し口（４−６）は上板（４−１）の右側半分にあり、ケーシング（４）の中の前側正面の右側半分の複数本の導管（３）と繋がり、それらの導管（３）の上の上板（４−１）の右側半分とその上側の遠心ファン（１−１）の下の二つの円形の分離プレート（７−２）の間のドーナツ状の空間（７−３）と隙間を置いて重なる上板（４−１）の位置にケーシング（４）の中の右側半分に入っている複数本の導管（３）と同数で噴き出し口（４−６）をケーシングの中心穴（４−５）を基準として円周配列で複数個並べて設け、下板（４−２）の噴き出し口（４−６）はケーシングの前側正面の上側から見て下板（４−２）の左側半分にあり、上板（４−１）の噴き出し口（４−６）と上と下で斜めに対称の位置になるように下側の遠心ファン（１−２）が時計方向に回転するためケーシング（４）の中の左側半分の複数本の導管（３）と繋がり、それらの導管（３）の下の下板（４−２）の左側半分とその下側の遠心ファン（１−１）の上の二つの円形の分離プレート（７−２）の間のドーナツ状の空間（７−３）と隙間を置いて重なる下板（４−２）の位置でケーシング（４）の中の左側半分に入っている複数本の導管（３）と同数で噴き出し口（４−６）をケーシングの中心穴（４−５）を基準として円周配列で複数個並べて設け、それらの噴き出し口（４−６）と導管の出口（３−２）を繋げるために噴き出し口（４−６）の流体が入って来る側に導管の取り付け器具（４−７）を設け、その導管の取り付け器具（４−７）は管形状で上板（４−１）の噴き出し口（４−６）の下にケーシング（４）の前側正面に位置する導管の入り口（３−１）から流体が入ってくる方向に斜めに固定して取り付け、下板（４−２）の噴き出し口（４−６）の上にケーシング（４）の前側正面に位置する導管の入り口（３−１）から流体が入ってくる方向に斜めに固定して取り付け、噴き出し口（４−６）の導管の取り付け器具（４−７）に導管（３）の末端の出口（３−２）が取り付けられることにより、流体がケーシング（４）の前側の正面に位置する複数本の導管の入り口（３−１）から入って導管（３）を通り、導管の出口（３−２）の導管の取り付け器具（４−７）を通ってケーシング（４）の上板（４−１）と下板（４−２）に設けた複数個の噴き出し口（４−６）からケーシング（４）の上側と下側にある遠心ファン（１−１）と（１−２）の二つの円形の分離プレート（７−２）の間のドーナツ状の空間（７−３）に流体が入り複数枚の羽根（１−４）に噴流して遠心ファンが回転するようになり、又、回転する遠心ファンの外周にある排出口（１−５）から出る流体がケーシング（４）の外の上側と下側に流れる流体に邪魔されないように上側と下側の遠心ファン（１−１）（１−２）を被う流体保護カバー（１３）を設け、その流体保護カバー（１３）はケーシングの前側の正面上側から見て遠心ファンの外周に距離を置いてＵの字状の側板（１３−１）の中で遠心ファンを囲うようにＵの字状の底部をケーシングの前側にＵの字状の上の開口部を後ろ側に位置させ、後ろ側を除いた前側の側板部分と両横の側板部分のＵの字状の側板（１３−１）にその内側の上全面を覆うカバー板（１３−２）を取り付け一体化して二つ設けるが、ケーシングの下側の遠心ファン（１−２）を被う流体保護カバー（１３）は土台（５）の中心軸（２）が通るためカバー板（１３−２）の中心軸（２）が通る位置に中心軸穴（１３−３）が設けており、上側の遠心ファン（１−１）の下のケーシング（４）の上板（４−１）と下側の遠心ファン（１−２）の上のケーシ
ング（４）の下板（４−２）に流体保護カバー（１３）のＵの字状の側板（１３−１）で取り付けられるようにして、遠心ファンの排出口（１−５）から出る流体は流体保護カバー（１３）のＵの字状の側板（１３−１）の上の開口部から出て行くようになっており、又、ケーシング（４）の前方向から来る流体を導管（３）に入りやすくするためにケーシング（４）の前側の流体が入る導管の入り口（３−１）の周りの前にあたるところから口元が開いているように流体の誘導板（１４）を設け、その流体の誘導板（１４）は導管の入り口（３−１）の口元から周りの外側へ斜めに板を取り付けて風を入りやすくしており、ケーシング（４）の前から来る流体が導管の入り口（３−１）を通り、導管の出口（３−２）にある噴き出し口（４−６）から流体が上側と下側の遠心ファン（１−１）と（１−２）のドーナツ状の空間（７−３）に入り、流体の流力によって羽根（１−４）に噴流し遠心ファンをそれぞれ反対方向に回転させ、ケーシング（４）の中ではケーシング（４）の上側で回転する遠心ファン（１−１）の円筒軸（６）の下側に取り付けた傘歯車（８−１）と下側で回転する遠心ファン（１−２）の円筒軸（６）の上側に取り付けた傘歯車（８−２）の間に中心軸（２）より後ろ側の水平方向から噛み合って入る伝動傘歯車（９−１）とその伝動傘歯車（９−１）に取り付けた水平軸（９）の回転によって、その水平軸（９）と発電機の回転軸（１１−１）や圧縮機の回転軸（１２−１）を直接的に連結するか、或いは水平軸（９）と発電機の回転軸（１１−１）や圧縮機の回転軸（１２−１）の間に他の軸や他の伝動部品を使って間接的に連結させ駆動させることにより発電機（１１）や圧縮機（１２）を動かすようにした方向固定型の装置を特徴とする請求項１ないし２に記載の流体による回転機関装置。
【請求項４】
流体による回転機関装置において方向固定型の装置の前側の流体の入り口を流体が来る方向に向いて動くように土台（５）の中心側にある固定した中心軸（２）を土台（５）の下側に出るように長くして、土台（５）の下にさらに土台を設け、その土台を方向土台（１６）としてその方向土台（１６）の上に筒状の方向円筒軸（１６−１）を設け、この方向円筒軸（１６−１）は方向土台（１６）の中心側に垂直に立てて固定して取り付けられ、方向円筒軸（１６−１）の内径に前記長くした中心軸（２）を回転可能に入れ、さらに土台（５）の下側に長くした中心軸（２）を方向土台（１６）に固定して取り付けた方向円筒軸の下面（１６−３）の下側にさらに長く出るようにして回転可能にすることで、方向円筒軸（１６−１）の下側に出た中心軸（２）に伝動部品（１９）を取り付けられるようになることでモーター駆動できるようなり３６０度東西南北どの方向にも向いて動くように方向可動型の装置にしたことを特徴とする請求項１ないし３のいずれかに記載の流体による回転機関装置。
【請求項５】
流体による回転機関装置において方向固定型の装置のケーシング（４）が土台（５）の下の軸で方向を変えるため土台（５）とその土台（５）に支えられたケーシング（４）が偏荷重にならないためにバランスが取れるように土台（５）の上の中心軸（２）の取り付け位置より土台（５）の下面でずらした位置で軸を垂直に固定して設け、この軸を方向軸（１５）としてその方向軸（１５）を方向円筒軸（１６−１）の内径に回転可能に入れることで回転機関装置はバランスが取れた状態で３６０度東西南北どの方向にも向いて動き、さらに土台（５）の下面でずらして垂直で固定して取り付けた方向軸（１５）を上記方向土台（１６）に固定して取り付けた方向円筒軸（１６−１）の下面（１６−３）の下側にさらに長く出るようにして回転可能にすることで、方向円筒軸（１６−１）の下側に出た方向軸（１５）に伝動部品（１９）を取り付けられるようになることでモーター（１８）駆動できるようになり３６０度東西南北どの方向にも向いて動くように方向可動型の装置にしたことを特徴とする請求項１ないし３いずれかに記載の流体による回転機関装置。
【請求項６】
流体による回転機関装置において方向固定型の装置の前側の流体の入り口が方向決めのモーター駆動を使わないで流体が来る方向に動いて向くように、方向土台（１６）の方向円筒軸（１６−１）の中心よりケーシング（４）の後ろ側の前後方向に方向羽根（１７）を立てて取り付け、流体の流力によって３６０度東西南北どの方向にも向いて動く方向可動型の装置にしたことを特徴とする請求項１ないし３のいずれかに記載の流体による回転機関装置。
【発明の詳細な説明】
【技術分野】
【０００１】
本発明は風力、水力、蒸気力の流体による回転機関装置に関するものであり、この回転機関装置を使って発電機や圧縮機の回転軸を動かし回転させるものである。      
【背景技術】
【０００２】
従来の流体による回転機関装置は主に風力、水力、蒸気力があり、発電機の回転軸を動かす装置として風力発電装置の風車型、ジャイロミル型、ダリウス型があり、水力発電装置には水車があり、蒸気力発電装置にはタービンがあった。又、エアコンの圧縮機の回転軸を動かす装置としてモーター、エンジンがあった。
【先行技術文献】
【特許文献】
【０００３】
【特許文献１】特開２００４−３０８５５０
【特許文献２】特開２００５−５４６９５
【特許文献３】特開平８−１２８３８４
【特許文献４】特開平１０−１０３２１６
【特許文献５】特開２００３−４９７６０
【発明の概要】
【発明が解決しようとする課題】
【０００４】
風力、水力、蒸気力の流体による回転機関装置を考え、その回転機関装置によって発電機や圧縮機の回転軸を動かす方法を課題とした。
【０００５】
一つの遠心ファンを垂直の中心軸上で横に寝かせて直交で回転可能な状態で真横の一方向から風、水流、蒸気流などの流体を送る時、上から見て時計方向に回転する遠心ファンは中心より左側半分で流体を受け、中心より右側の半分は無駄な流体になっている。この発明は中心より右側の半分も有効に使うために左側半分と右側半分の流体の入り口の全部分に入ってくるようにする回転機関装置にするにはどうしたら良いのかを課題とした。
【０００６】
風力発電、水力発電、温泉地帯や火山地帯の蒸気力発電、その他の流体で使えるような回転機関装置の構造にすることを課題とした。
【０００７】
流体による回転機関装置の風力発電において、乗用車、トラック、バス、船舶、建物の屋根などに回転機関装置を取り付けられるようにするために、従来の風力発電装置を使うには場所を取り過ぎるのと背が高過ぎるため取り付けることが出来ないため、扁平でコンパクトな風力による回転機関装置の構造にすることを課題とした。
【０００８】
又、前記、扁平でコンパクトな風力による回転機関装置を利用して発電装置としてだけではなく車両の走行燃費を良くするために乗用車、トラック、バス用にエアコンの圧縮機の回転軸の動力であるモーター、エンジンの代わりになる風力による回転機関装置を課題とした。
【０００９】
流体による回転機関装置の大型の風力発電において、その本体の前側の風の入り口が３６０度東西南北に向いて動きどの方向からでも風が入ってくるようにモーターを使って自動で方向可動型にするにはどうしたら良いのかを課題とした。
【００１０】
流体による回転機関装置の小型の風力発電において、風向きが変わっても回転機関装置の風の入り口を風が入ってくる方向に向くようにモーターを使わないで風力だけで方向可動型にするにはどうしたら良いのかを課題とした。
【００１１】
流体による回転機関装置の水力発電において、従来の滝のように水を落として水車を回転させる方法と、他の方法でもできないかを課題とした。
【００１２】
流体による回転機関装置の蒸気力発電において、その回転機関装置の縦置き、横置きに関係なく設置して遠心ファンを回転させるにはどうしたら良いのかを課題とした。
【課題を解決するための手段】
【００１３】
本発明は請求項１として、一本の垂直軸の回転しない中心軸（２）上で横に寝かせた状態で直交で二つの遠心ファン（１−１）と（１−２）を上と下で向かい合わせにして回転可能に設けそれぞれ反対方向に回転させるために、二つの遠心ファン（１−１）と（１−２）はボス（１−３）の外周に当分配列で放射状に複数枚の羽根（１−４）を取り付け、上の遠心ファン（１−１）のボス（１−３）の中心にはボス穴が開けられ、そのボス穴に入れる筒状の円筒軸（６）を設け、その円筒軸（６）はその上側の外径がボス穴の内径に同心で垂直に入ってボス（１−３）の上側に少し出て下側に長く出るように固定して取り付け、その円筒軸（６）の下側には傘歯車（８−１）を設け、その傘歯車（８−１）はその内径を円筒軸（６）の下側の外径に同心になるように歯の在る方を下向きに嵌めて固定して取り付け、
【００１４】
下の遠心ファン（１−２）のボス（１−３）の中心にもボス穴が開けられ、そのボス穴に入れる円筒軸（６）を設け、その円筒軸（６）はその下側の外径がボス穴の内径に同心で垂直に入ってボス（１−３）の下側に少し出て上側に長く出るように固定して取り付け、その円筒軸（６）の上側には傘歯車を設け、その傘歯車（８−２）はその内径を円筒軸の上側の外径に同心になるように傘歯車（８−２）を歯の在る方を上向きに嵌めて固定して取り付け、
【００１５】
それらを取り付けた上と下の遠心ファン（１−１）と（１−２）を向かい合わせで上と下で同心になる位置で上と下の遠心ファン（１−１）と（１−２）の円筒軸（６）の内径に一本の垂直軸の回転しない中心軸（２）を入れ、その中心軸（２）上で遠心ファン（１−１）と（１−２）の上と下の円筒軸（６）の傘歯車（８−１）と（８−２）の間に流体が遠心ファンに向かって来る方向を前側としてその反対側の中心軸（２）より後ろ側の水平方向から後記する他の伝動傘歯車（９−１）を歯の在る方を前にして噛み合って入る位置に設け、その伝動傘歯車（９−１）の位置で上と下の遠心ファン（１−１）と（１−２）とそれらの円筒軸（６）と傘歯車（８−１）と（８−２）を中心軸（２）上で回転可能に保持させることにより上の遠心ファン（１−１）の回転方向に対して下の遠心ファン（１−２）は反対方向に回転するようになり、上と下の円筒軸（６）の傘歯車（８−１）と（８−２）の間の後ろ側の水平方向から噛み合う伝動傘歯車（９−１）の内径に同心で設ける水平軸（９）の先端の外径を入れて固定して取り付け、その水平軸（９）の後端は発電機の回転軸（１１−１）や圧縮機の回転軸（１２−１）と直接的に、或いは他の軸や他の伝動部品と間接的に連結され発電機（１１）や圧縮機（１２）を動かすことを特徴とする流体による回転機関装置である。
【００１６】
請求項２として、一本の垂直軸の回転しない中心軸（２）上に直交で横にして寝かせた上と下の遠心ファン（１−１）と（１−２）を向かい合わせにした状態でそれらの遠心ファン（１−１）と（１−２）の上と下の円筒軸（６）の傘歯車（８−１）と（８−２）の間にその後ろ側の水平方向から他の伝動傘歯車（９−１）が噛み合って入る位置で上の遠心ファン（１−１）の回転方向に対して下の遠心ファン（１−２）は反対方向に回転して、前記伝動傘歯車（９−１）に水平軸（９）を固定して取り付け、その水平軸（９）は発電機の回転軸（１１−１）や圧縮機の回転軸（１２−１）と直接的、間接的に連結される回転機関装置において、上と下の遠心ファン（１−１）と（１−２）を流体の流力によって回転させるために、
【００１７】
上と下の遠心ファン（１−１）と（１−２）の間に流体が通る複数本の導管（３）を設け、それらの複数本の導管（３）は上と下の遠心ファン（１−１）と（１−２）の間の中心軸（２）の中心と上と下の遠心ファン（１−１）と（１−２）の外からの流体が導管に向かって来る方向の中心とを結んだ線を境として、その境で複数本の導管（３）を左右に分けて横に並べ、分けられた導管（３）は流体が向かって来る方向を前とする上の遠心ファン（１−１）の中心の前後の中心線より左右の片側の羽根（１−４）の真下の位置に向かう導管（３）とその羽根の真下の位置と上と下で斜め対称の位置になる下の遠心ファン（１−２）の中心の前後の中心線より左右の片側の羽根（１−４）の真上の位置に向かう導管（３）に分けられ、
【００１８】
分けられた導管（３）は二つの遠心ファン（１−１）と（１−２）の外側の流体が来る方向を前側とする導管の入り口（３−１）から後ろ側にある上の遠心ファン（１−１）の羽根（１−４）の下の位置の導管の出口（３−２）と上と下で斜め対称の位置にある下の遠心ファン（１−２）の羽根（１−４）の上の位置の導管の出口（３−２）から流体が導管（３）を通る方向から斜めに羽根（１−４）に向かって流体を噴流するように取り付けることで固定した垂直軸の中心軸（２）上で上と下の遠心ファン（１−１）と（１−２）はそれぞれに反対方向に回転し、
【００１９】
上と下の遠心ファン（１−１）と（１−２）の傘歯車（８−１）と（８−２）の間に流体が入る前側の導管の入り口（３−１）の反対側の中心軸（２）より後ろ側の水平方向から噛み合って入る他の伝動傘歯車（９−１）とその水平軸（９）の回転によって、水平軸（９）と発電機の回転軸（１１−１）や圧縮機の回転軸（１２−１）を直接的に連結するか、或いは水平軸（９）と発電機の回転軸（１１−１）や圧縮機の回転軸（１２−１）の間に他の軸や他の伝動部品を使って間接的に連結させ駆動させることにより発電機（１１）や圧縮機（１２）を動かすことを特徴とする請求項１記載の流体による回転機関装置である。
【００２０】
請求項３として、二つの遠心ファン（１−１）と（１−２）とそれらの遠心ファン（１−１）と（１−２）に取り付ける円筒軸（６）とそれらの円筒軸（６）に取り付ける傘歯車（８−１）と（８−２）と一本の中心軸（２）とその中心軸（２）が入る二本の円筒軸の傘歯車との間に中心軸（２）より後ろ側の水平方向から噛み合って入る他の伝動傘歯車（９−１）とその伝動傘歯車（９−１）に取り付ける水平軸（９）と複数本の導管（３）を取り付けるためにケーシング（４）と土台（５）を設け、
【００２１】
そのケーシング（４）は流体が来る方向を前側として前側正面と横側側面から見て横長方形の角箱状のものであり、ケーシング（４）の前側になる正面の前板は取り去られており、ケーシング（４）の上板（４−１）と下板（４−２）の中心には上と下で同心の位置で中心穴（４−５）が開いており、それらの中心穴（４−５）は後記する遠心ファンの円筒軸（６）に取り付けた傘歯車（８）が接触しないように隙間を持って入るぐらいの大きさであり、
【００２２】
二つの遠心ファン（１−１）と（１−２）はケーシングに入れない状態で複数枚の羽根を放射状に取り付けたボス（１−３）の中心にボス穴を設け、そのボス穴の内径に同心で円筒軸（６）の上側の外径が垂直に入りボス（１−３）の上に少し出てボス（１−３）の下に長くなるように固定して取り付けられ、その円筒軸（６）の下側の外径に同心になるように傘歯車（８）を歯の在る方を下向きにしてその内径を嵌めて固定して取り付けられ、
【００２３】
さらに二つの遠心ファン（１−１）と（１−２）の放射状の複数枚の羽根（１−４）の上と下には流体が逃げないように円筒軸（６）と同心になるように円形のプレート（７）を取り付け一体化させるが、遠心ファンの上には円筒軸（６）と同心になるように円筒軸（６）の上側の外周が入る中心穴（７−５）を開けた円形の一枚プレート（７−１）を取り付け、
【００２４】
遠心ファンの下には二つの円形の分離プレート（７−２）のボス（１−３）の下側と接する円筒軸（６）と同心になるように円筒軸（６）の外周が入る中心穴（７−５）を開けた中心側円形分離プレート（７−２−２）と円筒軸（６）に同心になるよう外周側円形分離プレート（７−２−１）を中心側円形分離プレート（７−２−２）の外径と外周側円形分離プレート（７−２−１）の内径との間で形成されたドーナツ状の空間（７−３）をおいて取り付け、複数枚の放射状の羽根（１−４）とボス（１−３）の上と下とを挟んで一体化させ、遠心ファンの下の二つの円形の分離プレート（７−２）の間のドーナツ状の空間（７−３）の内径から外径の半径方向の幅は後記するケーシング（４）の上板（４−１）と下板（４−２）の左右の片側半分にある中心穴（４−５）を基準としてその外側に設けた複数個の噴き出し口（４−６）の半径方向の幅の分だけ設けてあり、
【００２５】
前記二つの遠心ファン（１−１）と（１−２）をそれぞれケーシングの上板（４−１）と下板（４−２）の中心穴（４−５）に向かい合わせで上と下で同心になるように傘歯車（８−１）と（８−２）側から入れ、向かい合わせにした上側と下側の遠心ファン（１−１）と（１−２）の上と下の円筒軸（６）の傘歯車（８−１）と（８−２）の間に後記する中心軸（２）より後ろ側の水平方向からの他の伝動傘歯車（９−１）が歯のある方を前にして噛み合って入る位置で下側の遠心ファン（１−１）の円筒軸（６）の内径の下側から上側の遠心ファン（１−２）の円筒軸の内径の上側まで中心軸（２）が通って入り、
【００２６】
その中心軸（２）はケーシング（４）の下側に設けた土台（５）の中心側に垂直に固定して立てられ、土台（５）はその上にあるケーシング（４）の下側と間を取って前後左右平行になるように土台（５）の左右の両横側からケーシング支え板（５−１）を使ってそのケーシング支え板（５−１）の上側をケーシング（４）の左右の側面の横板（４−３）に固定して取り付けて支えるか、或いはケーシング支え板（５−１）の上側をケーシング（４）の下板（４−２）の左右の両横側に固定して取り付けて支えて、
【００２７】
又、ケーシング（４）の中の上側と下側の遠心ファンの円筒軸（６）の傘歯車（８−１）と（８−２）の間には中心軸（２）より後ろ側の水平方向から他の伝動傘歯車（９−１）を歯のある方を前にして噛み合わさって入った位置で設け、その水平方向からの伝動傘歯車（９−１）はその内径に同心で設ける水平軸（９）の先端の外径を入れ固定して取り付け、その水平軸（９）は伝動傘歯車（９−１）より後ろ側のケーシング（４）の上板（４−１）と下板（４−２）の間で設けた筒状の軸受け（１０）の中で回転可能に取り付けられ、その筒状の軸受け（１０）はケーシング（４）の上板（４−１）と筒状の軸受け（１０）の上側の間とケーシング（４）の下板（４−２）と筒状の軸受け（１０）の下側の間で軸受け支え板（１０−２）で固定して取り付けたことにより、
【００２８】
ケーシング（４）の上側と下側に設けた遠心ファン（１−１）と（１−２）がそれぞれに中心軸（２）上で反対方向に回転することによりケーシング（４）の中にある水平方向からの伝動傘歯車（９−１）とそれに取り付けた水平軸（９）が回転するようになり、ケーシング（４）の後ろ板（４−４）には水平軸の後側の延長線が突きあたる場所に穴（４−４−１）が開けてあり、水平軸（９）とその後ろの部分で発電機の回転軸（１１−１）や圧縮機の回転軸（１２−１）が穴に入ってケーシング（４）内で連結できるように、或いは長くした水平軸（９）がケーシング（４）の後ろ板の穴（４−４−１）から外へ出て発電機の回転軸（１１−１）や圧縮機の回転軸（１２−１）と連結できるようにしてあり、
【００２９】
又、上記上側の遠心ファン（１−１）の羽根（１−４）の下のドーナツ状の空間（７−３）と下側の遠心ファン（１−２）の羽根（１−４）の上のドーナツ状の空間（７−３）からそれらの羽根（１−４）に向けて流体を噴流させるために、ケーシング（４）の中に複数本の導管（３）を設け、ケーシング（４）の前側正面から複数本の導管（３）を入れ、ケーシング（４）の中の前側正面の片側半分に入っている複数本の導管の出口（３−２）はケーシング（４）の上側の遠心ファン（１−１）のドーナツ状の空間（７−３）の複数枚の羽根（１−４）の下側の上板（４−１）に向かい、ケーシング（４）の中の残りの前側正面の片側半分に入っている複数本の導管（３）はケーシング（４）の下側の遠心ファン（１−２）のドーナツ状の空間（７−３）の複数枚の羽根（１−４）の上側の下板（４−２）に向かい、
【００３０】
導管（３）の末端の出口（３−２）は上記した遠心ファン（１−１）と（１−２）の羽根（１−４）に取り付けられた二つの円形の分離プレート（７−２）の間のドーナツ状の空間（７−３）がケーシング（４）の上板（４−１）の左右の片側半分とその上板（４−１）と上と下で斜めに対称になる下板（４−２）の左右の片側半分に隙間を置いて重なる位置に設けた導管（３）と同数の複数個の噴き出し口（４−６）と繋がるが、
【００３１】
上側の遠心ファン（１−１）がケーシング（４）の前側正面の上側から見て時計方向に回転する時は上板（４−１）の噴き出し口（４−６）は上板（４−１）の左側半分にあり、ケーシング（４）の前側正面の左側半分の複数本の導管（３）と繋がり、それらの導管（３）の上の上板（４−１）の左側半分とその上側の遠心ファン（１−１）の下の二つの円形の分離プレート（７−２）の間のドーナツ状の空間（７−３）と隙間を置いて重なる上板（４−１）の位置にケーシング（４）の中の左側半分に入っている複数本の導管（３）と同数で噴き出し口（４−６）をケーシングの中心穴（４−５）を基準として円周配列で複数個並べて設け、下板（４−２）の噴き出し口（４−６）はケーシング（４）の前側正面の上側から見て下板（４−２）の右側半分にあり、上板（４−１）の噴き出し口（４−６）と上と下で斜めに対称の位置になるように下側の遠心ファン（１−２）は上側の遠心ファン（１−１）の反対方向に回転するためケーシング（４）の中の右側半分の複数本の導管（３）と繋がり、それらの導管（３）の下の下板（４−２）の右側半分とその下側の遠心ファン（１−１）の上の二つの円形の分離プレート（７−２）の間のドーナツ状の空間（７−３）と隙間を置いて重なる下板（４−２）の位置にケーシング（４）の中の右側半分に入っている複数本の導管（３）と同数で噴き出し口（４−６）をケーシングの中心穴（４−５）を基準として円周配列で複数個並べて設けるが、
【００３２】
上側の遠心ファン（１−１）がケーシング（４）の前側正面の上側から見て時計と反対方向に回転する時は上板（４−１）の噴き出し口（４−６）は上板（４−１）の右側半分にあり、ケーシング（４）の中の前側正面の右側半分の複数本の導管（３）と繋がり、それらの導管（３）の上の上板（４−１）の右側半分とその上側の遠心ファン（１−１）の下の二つの円形の分離プレート（７−２）の間のドーナツ状の空間（７−３）と隙間を置いて重なる上板（４−１）の位置にケーシング（４）の中の右側半分に入っている複数本の導管（３）と同数で噴き出し口（４−６）をケーシングの中心穴（４−５）を基準として円周配列で複数個並べて設け、下板（４−２）の噴き出し口（４−６）はケーシングの前側正面の上側から見て下板（４−２）の左側半分にあり、上板（４−１）の噴き出し口（４−６）と上と下で斜めに対称の位置になるように下側の遠心ファン（１−２）が時計方向に回転するためケーシング（４）の中の左側半分の複数本の導管（３）と繋がり、それらの導管（３）の下の下板（４−２）の左側半分とその下側の遠心ファン（１−１）の上の二つの円形の分離プレート（７−２）の間のドーナツ状の空間（７−３）と隙間を置いて重なる下板（４−２）の位置でケーシング（４）の中の左側半分に入っている複数本の導管（３）と同数で噴き出し口（４−６）をケーシングの中心穴（４−５）を基準として円周配列で複数個並べて設け、
【００３３】
それらの噴き出し口（４−６）と導管の出口（３−２）を繋げるために噴き出し口（４−６）の流体が入って来る側に導管の取り付け器具（４−７）を設け、その導管の取り付け器具（４−７）は管形状で上板（４−１）の噴き出し口（４−６）の下にケーシング（４）の前側正面に位置する導管の入り口（３−１）から流体が入ってくる方向に斜めに固定して取り付け、下板（４−２）の噴き出し口（４−６）の上にケーシング（４）の前側正面に位置する導管の入り口（３−１）から流体が入ってくる方向に斜めに固定して取り付け、噴き出し口（４−６）の導管の取り付け器具（４−７）に導管（３）の末端の出口（３−２）が取り付けられることにより、  
【００３４】
流体がケーシング（４）の前側の正面に位置する複数本の導管の入り口（３−１）から入って導管（３）を通り、導管の出口（３−２）の導管の取り付け器具（４−７）を通ってケーシング（４）の上板（４−１）と下板（４−２）に設けた複数個の噴き出し口（４−６）からケーシング（４）の上側と下側にある遠心ファン（１−１）と（１−２）の二つの円形の分離プレート（７−２）の間のドーナツ状の空間（７−３）に流体が入り複数枚の羽根（１−４）に噴流して遠心ファンが回転するようになり、
【００３５】
又、回転する遠心ファンの外周にある排出口（１−５）から出る流体がケーシング（４）の外の上側と下側に流れる流体に邪魔されないように上側と下側の遠心ファン（１−１）（１−２）を被う流体保護カバー（１３）を設け、その流体保護カバー（１３）はケーシングの前側の正面上側から見て遠心ファンの外周に距離を置いてＵの字状の側板（１３−１）の中で遠心ファンを囲うようにＵの字状の底部をケーシングの前側にＵの字状の上の開口部を後ろ側に位置させ、後ろ側を除いた前側の側板部分と両横の側板部分のＵの字状の側板（１３−１）にその内側の上全面を覆うカバー板（１３−２）を取り付け一体化して二つ設けるが、
【００３６】
ケーシングの下側の遠心ファン（１−２）を被う流体保護カバー（１３）は土台（５）の中心軸（２）が通るためカバー板（１３−２）の中心軸（２）が通る位置に中心軸穴（１３−３）が設けており、上側の遠心ファン（１−１）の下のケーシング（４）の上板（４−１）と下側の遠心ファン（１−２）の上のケーシング（４）の下板（４−２）に流体保護カバー（１３）のＵの字状の側板（１３−１）で取り付けられるようにして、遠心ファンの排出口（１−５）から出る流体は流体保護カバー（１３）のＵの字状の側板（１３−１）の上の開口部から出て行くようになっており、
【００３７】
又、ケーシング（４）の前方向から来る流体を導管（３）に入りやすくするためにケーシング（４）の前側の流体が入る導管の入り口（３−１）の周りの前にあたるところから口元が開いているように流体の誘導板（１４）を設け、その流体の誘導板（１４）は導管の入り口（３−１）の口元から周りの外側へ斜めに板を取り付けて風を入りやすくしており、
【００３８】
ケーシング（４）の前から来る流体が導管の入り口（３−１）を通り、導管の出口（３−２）にある噴き出し口（４−６）から流体が上側と下側の遠心ファン（１−１）と（１−２）のドーナツ状の空間（７−３）に入り、流体の流力によって羽根（１−４）に噴流し遠心ファンをそれぞれ反対方向に回転させ、ケーシング（４）の中ではケーシング（４）の上側で回転する遠心ファン（１−１）の円筒軸（６）の下側に取り付けた傘歯車（８−１）と下側で回転する遠心ファン（１−２）の円筒軸（６）の上側に取り付けた傘歯車（８−２）の間に中心軸（２）より後ろ側の水平方向から噛み合って入る伝動傘歯車（９−１）とその伝動傘歯車（９−１）に取り付けた水平軸（９）の回転によって、
【００３９】
その水平軸（９）と発電機の回転軸（１１−１）や圧縮機の回転軸（１２−１）を直接的に連結するか、或いは水平軸（９）と発電機の回転軸（１１−１）や圧縮機の回転軸（１２−１）の間に他の軸や他の伝動部品を使って間接的に連結させ駆動させることにより発電機（１１）や圧縮機（１２）を動かすようにした方向固定型の装置を特徴とする請求項１ないし２に記載の流体による回転機関装置である。
【００４０】
請求項４として、流体による回転機関装置において方向固定型の装置の前側の流体の入り口を流体が来る方向に向いて動くように土台（５）の中心側にある固定した中心軸（２）を土台（５）の下側に出るように長くして、土台（５）の下にさらに土台を設け、その土台を方向土台（１６）としてその方向土台（１６）の上に筒状の方向円筒軸（１６−１）を設け、この方向円筒軸（１６−１）は方向土台（１６）の中心側に垂直に立てて固定して取り付けられ、方向円筒軸（１６−１）の内径に前記長くした中心軸（２）を回転可能に入れ、
【００４１】
さらに土台（５）の下側に長くした中心軸（２）を方向土台（１６）に固定して取り付けた方向円筒軸の下面（１６−３）の下側にさらに長く出るようにして回転可能にすることで、方向円筒軸（１６−１）の下側に出た中心軸（２）に伝動部品（１９）を取り付けられるようになることでモーター駆動できるようなり３６０度東西南北どの方向にも向いて動くように方向可動型の装置にしたことを特徴とする請求項１ないし３のいずれかに記載の流体による回転機関装置である。
【００４２】
請求項５として、流体による回転機関装置において方向固定型の装置のケーシング（４）が土台（５）の下の軸で方向を変えるため土台（５）とその土台（５）に支えられたケーシング（４）が偏荷重にならないためにバランスが取れるように土台（５）の上の中心軸（２）の取り付け位置より土台（５）の下面でずらした位置で軸を垂直に固定して設け、この軸を方向軸（１５）としてその方向軸（１５）を方向円筒軸（１６−１）の内径に回転可能に入れることで回転機関装置はバランスが取れた状態で３６０度東西南北どの方向にも向いて動き、
【００４３】
さらに土台（５）の下面でずらして垂直で固定して取り付けた方向軸（１５）を上記方向土台（１６）に固定して取り付けた方向円筒軸（１６−１）の下面（１６−３）の下側にさらに長く出るようにして回転可能にすることで、方向円筒軸（１６−１）の下側に出た方向軸（１５）に伝動部品（１９）を取り付けられるようになることでモーター（１８）駆動できるようになり３６０度東西南北どの方向にも向いて動くように方向可動型の装置にしたことを特徴とする請求項１ないし３のいずれかに記載の流体による回転機関装置である。
【００４４】
請求項６として、流体による回転機関装置において方向固定型の装置の前側の流体の入り口が方向決めのモーター駆動を使わないで流体が来る方向に動いて向くように、方向土台（１６）の方向円筒軸（１６−１）の中心よりケーシング（４）の後ろ側の前後方向に方向羽根（１７）を立てて取り付け、流体の流力によって３６０度東西南北どの方向にも向いて動く方向可動型の装置にしたことを特徴とする請求項１ないし３のいずれかに記載の流体による回転機関装置である。
【００４５】
二つの遠心ファン（１−１）と（１−２）を垂直軸の中心軸（２）上でそれぞれに反対方向に回転させるために上側の遠心ファン（１−１）の円筒軸（６）の下側に取り付けた傘歯車（８−１）と下側の遠心ファン（１−２）の円筒軸（６）の上側に取り付けた傘歯車（８−２）の間にその後ろ側の水平方向から噛み合って入る他の伝動傘歯車（９−１）を設け、その伝動傘歯車（９−１）に取り付けた水平軸（９）が回転することにより、その水平軸（９）と発電機の回転軸（１１−１）や圧縮機の回転軸（１２−１）を直接的に、或いは水平軸（９）と発電機の回転軸（１１−１）や圧縮機の回転軸（１２−１）の間に他の軸や他の伝動部品を使って間接的に連結させることを手段とした。
【００４６】
二つの遠心ファン（１−１）と（１−２）を流体の流力によって回転させるために、ケーシング（４）内に複数本の導管（３）を設け、流体がケーシング（４）の前側の複数本の導管（３）の入り口（３−１）から入って導管（３）を通り導管の出口（３−２）にあるケーシング（４）の上板（４−１）と下板（４−２）の上と下で斜めに対称の位置にある複数個の噴き出し口（４−６）を通り、その噴き出し口（４−６）から上側と下側の遠心ファン（１−１）と（１−２）の二つの円形の分離プレート（７−２）の間のドーナツ状の空間（７−３）から流体が入り、その流体は二つの遠心ファン（１−１）と（１−２）の放射状の羽根（１−４）に噴流し、流体の流力と遠心ファンの回転からの遠心力によって二つの遠心ファン（１−１）と（１−２）を垂直軸の中心軸（２）上でそれぞれに反対方向に回転し遠心ファンの外周の排出口（１−５）から流体を放出させることを手段とした。
【００４７】
回転する遠心ファンの外周にある排出口（１−５）から出る流体がケーシング（４）の外の上側と下側の流体に邪魔されないように回転機関装置のケーシング（４）の上板（４−１）と下板（４−２）に上側と下側の遠心ファン（１−１）と（１−２）を被せるように流体保護カバー（１３）を設け、その流体保護カバー（１３）は正面上側から見て遠心ファンの外周に距離を置いてＵの字状の側板（１３−１）の中で遠心ファンを囲うようにＵの字状の底部をケーシングの前側にＵの字状の上の開口部を後ろ側に位置させ、後ろ側を除いた前側の側板部分と両横の側板部分のＵの字状の側板（１３−１）の内側の上全面を覆うカバー板（１３−２）を取り付け一体化し、上側の遠心ファン（１−１）の後ろ側を除いた上側と前側と両横側を被せるように流体保護カバーを（１３）を設置し、下側の遠心ファン（１−２）もその下側と前側と両横側に後ろ側を除いて被せるように流体保護カバーを（１３）を設置したことにより遠心ファンの排出口（１−５）から出る流体は流体保護カバー（１３）の後ろ側から出て行き、このような流体保護カバー（１３）を取り付けたことを手段とした。
【００４８】
流体による回転機関装置の前方向から来る流体を回転機関装置の中の導管（３）に入りやすくするために前側の流体の入り口（３−１）の導管（３）の先端の前の周りにあたるところに口元が開いているように流体の誘導板（１４）の板を設け、導管（３）の口元の周りから外側へ斜めに取り付けたことを手段とした。
【００４９】
また、この発明の流体による回転機関装置の本体が方向土台（１６）を必要としない一方向の流体を取り入れる方向固定形の回転機関装置になっているため、一部の車載用、住宅用、山間部用、海岸部用の風力発電による回転機関装置において、その本体が自由に３６０度東西南北の風が来るどの方向にも向いて動くように方向可動型にするために、方向固定形の回転機関装置の土台（５）の下に方向土台（１６）を取り付け、ケーシング（４）を支えている土台（５）の回転機関装置の垂直軸の中心軸（２）を土台（５）より下側に長くして、方向土台（１６）に筒状の方向円筒軸（１６−１）を垂直に取り付け、その筒状の方向円筒軸（１６−１）の内径に回転機関装置の長くした中心軸（２）を回転可能に入れるようにしたことで方向可動型にしたことを手段とした。
【００５０】
又、上記方向可動型の回転機関装置のケーシング（４）は土台（５）の下の軸で方向を変えるため、土台（５）とその土台（５）に支えられたケーシング（４）が偏荷重にならないためにバランスが取れる位置に土台（５）の上の中心軸（２）の取り付け位置より土台の下面でずらした位置に方向軸（１５）を垂直に固定して取り付けるようにしてその方向軸（１５）を方向円筒軸（１６−１）の内径に回転可能に入れることでケーシング（４）のバランスが取れた状態で回転機関装置を３６０度東西南北のどの方向にも向いて動かすことができるようにしたことを手段とした。
【００５１】
さらに上記土台（５）の下側に長くした中心軸（２）、土台の上の中心軸の位置より土台（５）の下面でずらした位置で垂直に固定して取り付けた方向軸（１５）を方向土台（１６）に固定して取り付けた方向円筒軸の下面（１６−３）の下側にさらに長く出て回転可能にすることで、方向円筒軸（１６−１）の下側に出た中心軸（２）や方向軸（１５）に伝動部品を取り付けられるようになることで大型の回転機関装置を３６０度東西南北の風が来るどの方向に向いて動くようにモーター駆動ができるようになることを手段とした。
【００５２】
流体による回転機関装置の小型の方向可動型の風力発電において、上記方向決めのモーターを使わずに風が来る方向に回転機関装置のケーシング（４）の前側の流体の入り口が流力で動いて向くように方向土台（１６）の方向円筒軸（１６−１）の中心よりケーシング（４）の後ろ側の前後方向に方向羽根（１７）を立てて取り付けたことを手段とした。
【００５３】
流体による回転機関装置の水力発電において、従来の滝のように水を落として水車を回転させる方法と、川の流れを利用してこの発明の方向土台（１６）を必要としない方向固定型の回転機関装置を水車になる遠心ファンの中心軸（２）が水面に対して垂直状態で川の水面より下に沈ませて設置することを手段とした。
【００５４】
流体による回転機関装置の蒸気力発電において、この発明の方向土台（１６）を必要としない方向固定型の回転機関装置を縦置き、横置きに関係なく設置することで、温泉地帯や火山地帯の蒸気の噴き出し口から出る蒸気を別の導管を通してこの発明の流体による回転機関装置の前側全面にある複数本の導管の入り口（３−１）に繋ぎ合わせることを手段とした。
【００５５】
流体による回転機関装置の風力による方向固定型の回転機関装置において、その回転機関装置を車両の屋根に乗せて回転機関装置の水平軸（９）で発電機の回転軸（１２−２）を回転させる発電機能だけでなくエアコンの圧縮機の回転軸（１２−２）を回転させることによって車内のエアコンの温度調整機能を高めることを手段とした。
【発明の効果】
【００５６】
一つの遠心ファンを垂直軸上で横に寝かせて直交で回転可能な状態で真横の一方向からの流体を送る時、上から見て時計方向に回転する遠心ファンは中心より左側半分で流体を受け、中心より右の半分は無駄な流体になっている。この無駄な流体を有効に使うためにこの発明の流体による回転機関装置は反対方向に回転する遠心ファンを同軸上でもう一つ設けることにより無駄な流体が無くなり、垂直軸になる回転しない一本の中心軸（２）に二つの遠心ファン（１−１）と（１−２）を同軸上で向かい合わせにして上と下に二段にして回転可能に設け、上と下の遠心ファン（１−１）と（１−２）は反対方向にそれぞれに回転させることによって、上と下の遠心ファン（１−１）と（１−２）の間の前側から来る一方向からの流体を無駄なく有効に使えるようになるという効果と垂直軸で遠心ファンを横に寝かせて直交にした状態で回転させることで扁平でコンパクトな構造になるという効果がある。
【００５７】
流体による回転機関装置のケーシング（４）の前側の入り口から複数本の導管（３）を設け、一方向からの流体を複数本の導管の入り口（３−１）から取り込むことにより、複数本の導管（３）の流体を上側の遠心ファン（１−１）の下にあるケーシング（４）の上板（４−１）の片側半分の位置にある複数個の流体の噴き出し口（４−６）と上と下で斜めに対称の位置にある下側の遠心ファン（１−２）の上にあるケーシング（４）の下板（４−２）の片側半分の位置にある複数個の流体の噴き出し口（４−６）からケーシング（４）の上側と下側の遠心ファン（１−１）と（１−２）のドーナッツ状の空間（７−３）を通って複数枚の羽根（１−４）に同時に噴き付けるが上側と下側の遠心ファン（１−１）と（１−２）のそれぞれ反対方向の回転によって統合効果が生まれ、遠心ファン一つで流体を受けて回転する複数枚の羽根に同時に噴き付けたことと同じことになり上と下の遠心ファン（１−１）と（１−２）の統合効果で前記この発明の流体による回転機関装置の水平軸（９）の回転軸トルクが増大するという効果がある。
【００５８】
又、遠心ファン（１−１）と（１−２）の回転の遠心力効果により導管（３）の入り口（３−１）から出口（３−２）、その出口（３−２）と繋がる導管の取り付け器具（４−７）から噴き出し口（４−６）、その噴き出し口（４−６）から遠心ファン（１−１）と（１−２）の羽根（１−４）までの流体の通りが良くなることによって導管（３）内の流体の滞留抵抗が無くなり遠心ファン（１−１）と（１−２）の回転効果は絶大になるという効果がある。
【００５９】
流体による回転機関装置の風力、蒸気力の回転機関装置において、騒音に対しても遠心ファンの放射状の羽根（１−４）の上に円形の一枚プレート（７−１）を取り付け、羽根の下には二つの円形の分離プレート（７−２）を取り付けて一体化させて回転させるため羽根による風切り面が少なくなり風切り音が非常に少なく静かになり、上側と下側の遠心ファン（１−１）と（１−２）を被う流体保護カバー（１３）によってさらに静かになり防音に優れているという効果がある。
【００６０】
流体による回転機関装置のケーシング（４）の前側の流体が入る導管の入り口（３−１）の先端の周りの前を口元が開いているように流体の誘導板（１４）を口元から周りの外側へ斜めに取り付けたことにより流体が入りやすいという効果がある。
【００６１】
そして、上記効果のそれらの構造で方向土台（１６）を必要としない方向固定型の回転機関装置が扁平でコンパクトになったため車の屋根に車載可能になるという効果があり、風力による回転機関装置の水平軸（９）の回転によって風力発電の発電機の回転軸（１１−１）と風力によるエアコンの圧縮機の回転軸（１２−１）の回転も可能になるという効果があり、エアコンの圧縮機（１２）を回転させることによって車の走行中の車内のエアコンの温度調整機能を高められることを効果とした。
【００６２】
流体による回転機関装置の風力発電において一部の車載用、住宅用、山間部用、海岸部用に備え付けられるようにこの発明の流体による回転機関装置の本体である方向固定型の回転機関装置を風が来る方向に３６０度東西南北どの方向にも向いて動く方向可動型にするためにケーシングの（４）土台（５）の下にさらに方向土台（１６）を設け、その方向土台（１６）に筒状の方向円筒軸（１６−１）を垂直に固定して取り付け、垂直軸の中心軸（２）を土台（５）より下側に長くして、その筒状の方向円筒軸（１６−１）の内径に長くした中心軸（２）を回転可能に入るようにすることで回転機関装置を３６０度東西南北にどの方向にも向いて動くようになるという効果がある。
【００６３】
大きな方向可動型の回転機関装置の風力発電において、ケーシング（４）が土台（５）の下の軸で方向を変えるため土台（５）とその土台（５）に支えられたケーシング（４）が偏荷重にならないためにバランスが取れるように土台（５）の上の中心軸（２）の取り付け位置より土台（５）の下面でずらして方向軸（１５）を垂直に固定して取り付け、その方向軸（１５）を方向円筒軸（１６−１）の内径に回転可能に入れることで回転機関装置をバランスが取れた状態で３６０度東西南北にどの方向にも向いて動くようになるという効果がある。
【００６４】
さらに上記方向可動型の回転機関装置の風力発電において、土台（５）の下側に長くした中心軸（２）、土台（５）の下面でずらして垂直に固定して取り付けた方向軸（１５）を方向土台（１６）に固定して取り付けた方向円筒軸の下面（１６−３）の下側に出るように回転可能に長くすることで、方向円筒軸の下面（１６−３）の下側に出た中心軸（２）や方向軸（１５）に伝動部品（１９）を取り付けられるようになることでモーター（１８）駆動できるようになり大型の回転機関装置が３６０度東西南北のどの方向にも向いて動くようになるという効果がある。
【００６５】
流体による回転機関装置の小さな方向可動型の風力発電において、風が来る方向に回転機関装置の前側の風の入り口が動いて向くように方向土台（１６）の方向円筒軸（１６−１）の中心よりケーシング（４）の後ろ側の前後方向に方向羽根（１７）を立てて取り付けたことで風力によって３６０度東西南北のどの方向にも向いて動くようになり、一般の風力発電にも利用可能になり、前記のような構造にしたことで風力だけで３６０度東西南北自由に風が来る方向に向いて動くという効果がある。
【００６６】
流体による回転機関装置の水力発電において、従来の滝のように水を落として水車を回転させる方法と、川の流れを利用してこの発明の方向土台（１６）を必要としない方向固定型の回転機関装置を水車になる遠心ファンの中心軸（２）が水面に対して垂直状態で川の水面より下に沈ませ設置し、この発明の流体による回転機関装置の前側にある流体の複数本の導管の入り口（３−１）から入る川の流れの水力によって水車になる遠心ファンを回転させることでこの発明の流体による回転機関装置の効果とした。
【００６７】
流体による回転機関装置の蒸気力発電において、方向土台（１６）を必要としない方向固定型の回転機関装置を縦置き、横置きに関係なく設置することで、温泉地帯や火山地帯の蒸気の噴き出し口から出る蒸気を別の導管を通してこの発明の回転機関装置の前側にある複数本の導管の入り口（３−１）に繋ぎ合わせることにより遠心ファンを回転させることでこの発明の流体による回転機関装置の効果とした。
【図面の簡単な説明】
【００６８】
【図１】この発明の一方向からの流体で遠心ファンを回転させる方向固定型の流体による回転機関装置の全体の構成を示す図面であり、（１）の図は平面図（２）のＡ−Ａの断面を側面から見た断面図であり回転機関装置の左側を前として右側を後ろとしている。（２）の図は上から見た平面図であるが、平面図（２）をわかりやすくするために流体保護カバー（１３）のカバー板（１３−２）をはずしてＵの字状の側板（１３−１）だけを取り付けている。（３）の図は回転機関装置の前から見た正面図である。
【図２】この発明の流体による回転機関装置の遠心ファンの構成を示す図面であり、（１）の図は平面図（２）のＢ−Ｂの断面を側面から見た断面図であり、（２）の図は上から見た平面図であり、（３）の図は下の傘歯車（８）側から見た底面図である。
【図３】この発明の流体による回転機関装置のケーシング（４）の中の導管（３）を取り付ける噴き出し口（４−６）の位置を示す図面であり、（１）の図は上から見た平面図であり、その図の下側がケーシング（４）の前になる。（２）の図はケーシング（４）の前から見た正面図であり、（３）の図は正面図（２）のＣ−Ｃの断面を上から見た平面断面図である。
【図４】この発明の流体による回転機関装置の導管（３）と導管の取り付けを示す図面であり、（１）の図は導管（３）を上から見た平面図であり、（２）の図は平面図（１）のＤ−Ｄの断面を正面から見た断面図であり、（３）の図はケーシング（４）の上板（４−１）と下板（４−２）の噴出し口（４−６）に取り付けた導管の取付け器具（４−７）に導管（３）を取り付けた状態を示した断面図である。
【図５】この発明の流体による回転機関装置のケーシング（４）の中の６本の導管（３）の取り付け状態を示す図面であり、（１）の図は上から見た平面図であり、（２）の図は前から見た正面図であり、（３）の図は正面図（２）のＥ−Ｅの断面を上から見た平面断面図である。
【図６】この発明の流体による回転機関装置のケーシング（４）に入る導管（３）を二段にして方向羽根（１７）を取り付け風が来る方向に向きが変わる方向可動型の風力発電の回転機関装置全体の図面であり、（１）の図は前から見た正面図であり、（２）の図は正面図（１）の右から見た右側面図である。
【図７】この発明の流体による回転機関装置のモーター駆動で風が来る方向に向きが変わる方向可動型の風力発電の回転機関装置の全体の側面図である。
【発明を実施するための形態】
【００６９】
この発明の流体による回転機関装置は東西南北に動かすことができない一方向の流体を取り込む図１から図５の方向固定型の回転機関装置とその方向固定型の回転機関装置を使ってその回転機関装置の前側正面の流体の入り口が３６０度東西南北のどの方向にも向いて動くようにした図６、図７の方向可動型の回転機関装置である。又、流体が入って来る方向を回転機関装置の前側、或いはケーシング（４）の前側として回転機関装置の中を通って流体が出る方向を回転機関装置の後ろ側、或いはケーシング（４）の後ろ側としている。
【００７０】
この発明の流体による回転機関装置は図１の（１）と（２）と（３）のように二つの遠心ファン（１−１）と（１−２）と二つの円筒軸（６）と二つの傘歯車（８−１）と（８−２）と一本の中心軸（２）と複数本の導管（３）と一つの伝動傘歯車（９−１）と一本の水平軸（９）で主に構成され、二つの遠心ファン（１−１）と（１−２）は１２枚の曲線の羽根（１−４）をボス（１−３）の外周に３０度の当分間隔で放射状に取り付けたものである。これらの部品を使って流体による回転機関装置として動くようにケーシング（４）と土台（５）を設け、そのケーシング（４）は図１の（３）と図３の（２）から正面を前側、側面を横側として見て横長方形の角箱状のものであり、正面に当たる前板は取り去れておりその正面から断面が四角形状の６本の導管（３）が入り、導管（３）の中は流体の通り道になって前側は流体が入る導管の入り口（３−１）になって後ろ側は流体が出る導管の出口（３−２）になっている。ケーシング（４）の後ろ板（４−４）は組立てる時に取り外しができるようにしてあり、この後ろ板（４−４）の側面に後記する水平軸（９）と連結できるように図１の（１）と（２）のように発電機（１１）や圧縮機（１２）をそれらの回転軸（１１−１）や（１２−１）が水平になるように取り付けてあり、後ろ板（４−４）の中心には発電機や圧縮機の回転軸（１１−１）や（１２−１）や後記する長くした水平軸（９）が入るように図３の（１）と（３）のように穴（４−４−１）が開けられている。図１の（１）ではケーシング（４）の符号は記せずにケーシングの上板（４−１）、下板（４−２）、後ろ板（４−４）とだけ記している。又、図１の（１）のケーシングの後ろ板（４−４）に付けた四角形の図柄は発電機（１１）や圧縮機（１２）を併用しており、それらの回転軸（１１−１）や（１２−１）も併用して描かれている。図１の（２）も発電機（１１）や圧縮機（１２）を併用して描いている。
【００７１】
図３の（１）と（２）と（３）、図５の（１）と（２）と（３）のようにケーシング（４）の上板（４−１）と下板（４−２）の中心には中心穴（４−５）が開いており、上板（４−１）と下板（４−２）の中心穴（４−５）は上と下で同心になるようにしてあり、それらの中心穴（４−５）の大きさは後記するケーシング（４）の上側と下側で回転する図２の（１）の遠心ファン（１）のボス（１−３）の中心の穴に垂直で入っている円筒軸（６）の下側の傘歯車（８）が接触しないように隙間を持って入るぐらいである。図１の（１）と（２）と（３）のようにケーシング（４）の上板（４−１）と下板（４−２）の中心穴（４−５）にはそれらの中心穴（４−５）に入る遠心ファン（１−１）と（１−２）の上と下の同心の位置にある円筒軸（６）にそれらの内径を通る中心軸（２）が入り、その中心軸（２）はケーシング（４）の下側に設けた土台（５）の中心側に垂直に固定して立てられ、その土台（５）はケーシング（４）の下板（４−２）と間をとって前後左右に平行になるようにその土台（５）の左右の両横端から固定して立てたケーシング支え板（５−１）でその支え板（５−１）の上の部分の内側を角箱状のケーシング（４）の両横板（４−３）に取り付け固定して支えている。請求項２では図面には描かれていないが土台（５）の左右の両横側から固定して立てたケーシング支え板（５−１）でその支え板（５−１）の上の部分で角箱状のケーシング（４）の下板（４−２）の左右の両横側に取り付け固定して支える方法も記述している。
【００７２】
ケーシング（４）の上側には図１の（１）のように遠心ファン（１−１）を横に寝かせて中心軸（２）に直交になるようにケーシング（４）の中心穴（４−５）と同心で設け、ケーシング（４）の下側にも遠心ファン（１−２）が横に寝かせて中心軸（２）に直交になるようにケーシング（４）の中心穴（４−５）と同心で遠心ファン（１）が設けられるが上側の遠心ファン（１−１）と下側の遠心ファン（１−２）は同じ形で同じ大きさであるが、ケーシング（４）に取り付けた状態では上側の遠心ファン（１−１）に対して下側の遠心ファン（１−２）は向かい合わせで反対方向に回転するために下側の遠心ファン（１−２）の放射状の羽根の曲線の向きは上側の遠心ファン（１−１）の反対方向になっている。
【００７３】
図２では上記遠心ファン（１−１）と（１−２）と円筒軸（６）と傘歯車（８−１）と（８−２）は同じ形で同じ大きさであるため上側と下側の遠心ファン（１−１）と（１−２）をまとめて遠心ファン（１）として二つの傘歯車（８−１）と（８−２）はまとめて傘歯車（８）として記している。遠心ファン（１）の３０度の等分間隔で１２枚の放射状の幾何学的曲線の羽根（１−４）を固定して取り付けたボス（１−３）にはそのボス（１−３）の中心にボス穴を開けそのボス穴に円筒軸（６）が同心で垂直に入り、ボス（１−３）の上側に少し出てボス（１−３）の下側に長く出るように固定して取り付けられ、円筒軸（６）の内径の上と下にはベアリング（６−１）の外輪が入り、その内輪には上記した土台に固定して立てられた垂直軸の中心軸（２）が入る。遠心ファン（１）の下側に長く出るようにした円筒軸（６）の下側の外径にはその軸（６）上に同心になるように傘歯車（８）が歯の在る方を下向きにしてその内径が嵌り固定して取り付けられる。
【００７４】
図２の（１）と（２）と（３）のようにケーシング（４）に取り付けない状態で遠心ファン（１）のボス（１−３）の外周に取り付けた１２枚の放射状の等分配列した幾何学的曲線の羽根（１−４）の上と下には流体が逃げないように円形のプレート（７）を１２枚の放射状の羽根（１−４）とそれらを取り付けているボス（１−３）の上と下に同心で取り付け一体化して設けてあり、その円形のプレート（７）は遠心ファン（１）の上に円形の一枚プレート（７−１）、遠心ファン（１）の下に二つの円形の分離プレート（７−２）があり中心側に中心側円形分離プレート（７−２−２）と外周側に外周側円形分離プレート（７−２−１）があり、中心側円形分離プレート（７−２−２）の外径と外周側円形分離プレート（７−２−１）の内径の間にはドーナツ状の空間（７−３）が形成され、後記する噴き出し口（４−６）からの流体がこのドーナツ状の空間（７−３）を通って放射状の羽根（１−４）に噴流する。
【００７５】
上の円形の一枚プレート（７−１）と下の円形の分離プレート（７−２）の中心側円形分離プレート（７−２−２）には中心穴（７−５）があり、その中心穴（７−５）に上記した円筒軸（６）の外周が入り、羽根の上の円形の一枚プレート（７−１）と羽根の下の中心側分離プレート（７−２−２）とその外周側にドーナツ状の空間（７−３）をおいて外周側分離プレート（７−２−１）と共に曲線の１２枚の羽根（１−４）とそれらを取り付けているボス（１−３）の上面と下面を挟んでおり、ドーナツ状の空間は中心側円形分離プレート（７−２−２）の外径と外周側円形分離プレート（７−２−１）の内径の間に同心で形成された幅の空間である。円形プレート（７）の円形の一枚プレート（７−１）と円形の分離プレート（７−２）の中心側分離プレート（７−２−２）から外周側円形分離プレート（７−２−１）の大きさは円筒軸（６）の外周から１２枚の羽根（１−４）の外周までである。図２の（１）の遠心ファン（１）の右片側の羽根の上にある円形の一枚プレート（７−１）と羽根の下にある円形の分離プレートの中心側円形分離プレート（７−２−２）と外周側円形分離プレート（７−２−１）をまとめて羽根の位置で円形のプレート（７）と符合を記してあり、遠心ファン（１）の左片側の羽根の下は中心側円形分離プレート（７−２−２）と外周側円形分離プレート（７−２−１）をまとめて羽根の位置で円形の分離プレート（７−２）と符号を記している。図１の（２）では遠心ファン（１−１）のボス（１−３）と放射状の曲線の羽根（１−４）とそれらの下にある中心側円形分離プレート（７−２−２）とドーナツ状の空間（７−３）と外周側円形分離プレート（７−２−１）は遠心ファン（１−１）の上にある円形の一枚プレート（７−１）で隠れているため点線で描かれており、図の上側に円形の分離プレートの中心側円形分離プレート（７−２−２）と外周側円形分離プレート（７−２−１）の符号を記している。
【００７６】
遠心ファン（１）の上に取り付ける円形の一枚プレート（７−１）は図２の（１）と（２）のようにその中心穴（７−５）にボス（１−３）の上面の内径と接する円筒軸（６）の外周が入るようにしてあり、遠心ファン（１）の下に取り付ける円形の分離プレート（７−２）は図２の（１）と（３）のように外周側円形分離プレート（７−２−１）とその内径側にドーナツ状の空間（７−３）をおいて中心側円形分離プレート（７−２−２）で分けてあり、その中心側の中心側円形分離プレート（７−２−２）の中心穴（７−５）にボス（１−３）の下面の内径と接する円筒軸の外周が入るように構成してあり、ドーナツ状の空間（７−３）の外周側円形分離プレート（７−２−１）の内径と中心側円形分離プレート（７−２−２）の外径の間で形成された空間の半径方向の幅は後記する図３のケーシング（４）の上板（４−１）の左側半分と下板（４−２）の右側半分に設けた３個ずつの流体の噴き出し口（４−６）のケーシングの中心穴（４−５）を基準としたその中心穴（４−５）の外側で円周配列した半径方向の長さの幅だけ円筒軸（６）と同心でドーナツ状の空間（７−３）と隙間を置いて重なるように設けてある。図１の（２）のように後記する導管（３）の出口（３−２）にある上板（４−１）の噴き出し口（４−６）から前記ドーナツ状の空間（７−３）を入り口として遠心ファン（１）の曲線の羽根（１−４）に流体が噴流して遠心ファン（１）が回転するようになり、曲線の羽根（１−４）に当たった流体は遠心ファン（１）の羽根（１−４）と羽根（１−４）の間の外周側とその上と下の円形のプレート（７）の間の外周側の排出口（１−５）から外へ出て行く。
【００７７】
上記、円筒軸（６）とその下側の傘歯車（８）、ボス（１−３）と放射状の曲線の羽根（１−４）の上と下の円形のプレート（７）を取り付けた二つの遠心ファン（１−１）と（１−２）を図３の（１）と（２）と（３）のケーシング（４）の上板（４−１）と下板（４−２）の中心穴（４−５）から図１の（１）のように傘歯車（８−１）と（８−２）側を向かい合わせで上と下で同心になるように入れ、上側と下側の遠心ファン（１−１）と（１−２）の円筒軸（６）の内径の上と下に取り付けたベアリング（６−１）の内輪に土台（５）の垂直軸の中心軸（２）を下側の遠心ファン（１−２）の円筒軸（６）の下から上側の遠心ファン（１−１）の円筒軸（６）の上まで通して入れ、その中心軸（２）上でケーシング（４）の上側と下側にある遠心ファン（１−１）と（１−２）はそれらに取り付けている上と下の円筒軸（９）の傘歯車（８−１）と（８−２）の間でその後ろの水平方向から入る後記する他の伝動傘歯車（９−１）と噛み合う位置で回転可能に保持され、上側と下側の遠心ファン（１−１）と（１−２）の回転可能に保持された位置でケーシング（４）は土台（５）とケーシング（４）の下板（４−２）の間をとって前後左右に平行になるようにその土台（５）の左右の両横端から固定して立てたケーシング支え板（５−１）でその支え板（５−１）の上の部分の内側を角箱状のケーシング（４）の両横板（４−３）に取り付け固定して支えられている。
【００７８】
ケーシング（４）の中では図１の（１）のように上側と下側の傘歯車（８−１）と（８−２）の間にはその間のケーシング（４）の中の中心軸（２）より後ろ側の水平方向から他の伝動傘歯車（９−１）が歯のある方を前にして噛み合って入り、その伝動傘歯車（９−１）はその内径に設ける水平軸（９）の先端の外径が同心で入って固定して取り付け、その水平軸（９）の伝動傘歯車（９−１）によってケーシング（４）の上側と下側に設けた遠心ファン（１−１）と（１−２）は中心軸（２）上でそれぞれ反対方向に回転し、水平軸（９）は図１の（１）と図３の（１）と（２）と（３）のように筒状の軸受け（１０）の内径の前と後ろにベアリング（１０−１）を入れそれらの内輪に入って回転するようになっており、筒状の軸受け（１０）は伝動傘歯車（９−１）より後ろの上側にあるケーシング（４）の上板（４−１）と筒状の軸受け（１０）の上側との間と、ケーシング（４）の下板（４−２）と筒状の軸受け（１０）の下側との間で前後方向に取り付けた軸受け支え板（１０−２）で支え固定して取り付けてある。
【００７９】
前記水平軸（９）の後側は図１の（１）、図３の（１）と（３）のようにケーシング（４）の後ろ板（４−４）に水平軸（９）の後端の延長線が突き当たるところに後ろ板の穴（４−４−１）を設け、その穴（４−４−１）に発電機（１１）や圧縮機（１２）の回転軸（１１−１）や（１２−１）を水平になるように入れ、後ろ板（４−４）に発電機（１１）や圧縮機（１２）を取り付けるが、それらの回転軸（１１−１）や（１２−１）と水平軸（９）にカップリング（９−２）を使って連結させ水平軸（９）の回転によって発電機（１１）や圧縮機（１２）を動かしている。又、水力発電、蒸気力発電の回転機関装置では発電機（１１）が水や蒸気に浸からないように別の場所に設置するために水平軸（９）を長くして使い、その水平軸（９）を後ろ板の穴（４−４−１）に通して後ろ板（４−４）から外へ出るようにして発電機の回転軸（１１−１）との間に他の軸や伝動部品を使って間接的に連結している。
【００８０】
上側の遠心ファン（１−１）が時計方向に回転し、下側の遠心ファン（１−２）が上側の遠心ファン（１−１）の反対方向に回転する回転機関装置では遠心ファンの放射状の羽根（１−４）に流体を噴流させるために、ケーシング（４）において図３と図５のようにケーシング（４）の上板（４−１）と下板（４−２）に流体が噴き出すように噴き出し口（４−６）を設け、ケーシング（４）の中に導管（３）を設けるためにケーシング（４）の前側正面から四角形の６本の導管（３）が入り、ケーシング（４）の前側正面の左半分に入っている３本の導管（３）はケーシング（４）の上板（４−１）の左側半分に設けた３個の噴き出し口（４−６）に向かい、残りの前側正面の右半分に入っている３本の導管（３）はケーシング（４）の下板（４−２）の右側半分に設けた３個の噴き出し口（４−６）に向かい、それらの噴き出し口（４−６）は長穴になっている。導管（３）の末端の流体の導管の出口（３−２）近くの横方向の断面形状は図４の（１）と（２）のように導管の入り口（３−１）近くの横方向の断面形状の四角形より幅が広く平らに近い形状で断面穴が長穴になっており、上板（４−１）と下板（４−２）の３個ずつの噴き出し口（４−６）の長穴の形状に合わせて導管の出口（３−２）と噴き出し口（４−６）の間を後記する導管の取り付け器具（４−７）で繋いでいる。
【００８１】
上板（４−１）の３個の噴き出し口（４−６）の上に位置する遠心ファン（１−１）と下板（４−２）の３個の噴き出し口（４−６）の下に位置する遠心ファン（１−２）の放射状の曲線の羽根（１−４）は図２の（２）と（３）のように１２枚で３０度の等分間隔で放射状にボス（１−３）の外周に取り付けられており、３個の噴き出し口（４−６）から流体を一枚飛びで三枚の羽根（１−４）に同時に噴流するようになっている。ケーシング（４）の上板（４−１）と下板（４−２）の流体の３個ずつの噴き出し口（４−６）は図３の（１）と（３）、図５の（１）と（３）のようにケーシング（４）の前側の正面の上から見てケーシングの中心穴（４−５）の中心を基準としてその前後方向の中心線の延長線の前からそれぞれ左右に３０度ずらした位置から円周配列で６０度間隔で設けてある。
【００８２】
ケーシング（４）の上板（４−１）の三箇所の流体の噴き出し口（４−６）は図３の（１）のようにケーシング（４）の前側正面の上側から見て上記した図２の（１）と（３）からケーシング（４）の上側の遠心ファン（１−１）の羽根（１−４）の下に取り付けられた二つの円形の分離プレート（７−２）の間のドーナツ状の空間（７−３）の下に位置するところに設けてあり、ドーナツ状の空間（７−３）はドーナツ状の空間線（７−４）を一点差線で半円形で二本描いている。上板（４−１）ではケーシングの中心穴（４−５）を基準として中心穴から外へ離れた同心の円周上の位置で、すなわち上側の遠心ファン（１−１）の下のドーナツ状の空間（７−３）の下と隙間を置いて重なる位置で上板（４−１）の左側半分にケーシングの中心穴（４−５）の中心の前後方向の中心線の延長線の前から３０度左にずらした位置から円周配列で６０度間隔で３個の流体の噴き出し口（４−６）を設け、それらの噴き出し口（４−６）はケーシングの中心穴（４−５）から離れて遠心ファン（１−１）のドーナツ状の空間（７−３）と隙間を置いて重なる位置で半径方向に長穴にしてそれぞれの長穴の下で後記する導管の取り付け器具（４−７）を介して３本の導管の出口（３−２）と繋がっており、ケーシング（４）の中の左半分の導管の中心側の一つ目の導管（３）はケーシングの中心穴（４−５）の中心の前後方向の中心線の延長線の前から３０度左へずらした位置にある前の噴き出し口（４−６）に繋がり、左半分の導管の真ん中の二つ目の導管（３）はケーシングの中心穴（４−５）の中心の左右方向の中心線の延長線の左の位置にある中の噴き出し口（４−６）に繋がり、左半分の導管の外側の三つ目の導管（３）は中の噴き出し口（４−６）から６０度後ろへずらした位置にある後ろの噴き出し口（４−６）に繋がっている。
【００８３】
ケーシング（４）の下板（４−２）の三箇所の流体の噴き出し口（４−６）は上板（４−１）の三箇所の噴き出し口（４−６）と上と下で斜めに対称になるように図３の（３）からケーシング（４）の前側正面の上側から見て上記した図２の（１）と（３）からケーシング（４）の下側の遠心ファン（１−２）の羽根（１−４）の上に取り付けられた二つの円形の分離プレート（７−２）の間のドーナツ状の空間（７−３）の上に位置するところに設けてあり、ドーナツ状の空間（７−３）はドーナツ状の空間線（７−４）を一点差腺で半円形で二本描いている。下板（４−２）ではケーシングの中心穴（４−５）を基準として中心穴から外へ離れた同心の円周上の位置で、すなわち下側の遠心ファン（１−２）の上のドーナツ状の空間（７−３）と隙間を置いて重なる位置で下板（４−２）の右側半分にケーシングの中心穴（４−５）の中心の前後方向の中心線の延長線の前から３０度右へずらした位置から円周配列で６０度間隔で３個の流体の噴き出し口（４−６）を設け、それらの噴き出し口（４−６）はケーシングの中心穴（４−５）から離れて遠心ファン（１−２）のドーナツ状の空間（７−３）と隙間を置いて重なる位置で半径方向に長穴にしてそれぞれ長穴の下で後記する導管の取り付け器具（４−７）を介して３本の導管の出口（３−２）と繋がっており、ケーシング（４）の中の右半分の導管の中心側の一つ目の導管（３）はケーシングの中心穴（４−５）の中心の前後方向の中心線の延長線の前から右へ３０度ずらした位置にある前の噴き出し口（４−６）に繋がり、右半分の導管の真ん中の二つ目の導管（３）はケーシングの中心穴（４−５）の中心の左右方向の中心線の延長線の右の位置にある中の噴き出し口（４−６）に繋がり、右半分の導管の外側の三つ目の導管（３）は中の噴き出し口（４−６）から６０度後ろにずらした位置にある後ろの噴き出し口（４−６）に繋がっている。
【００８４】
前記噴き出し口（４−６）の長穴の面積は図３の（１）と（３）から導管（３）の入り口（３−１）の四角形の横方向の断面積と同じぐらいにしてあり、導管（３）の入り口（３−１）から出口（３−２）と後記する導管の取り付け器具（４−７）から噴き出し口（４−６）までの横方向の断面積が同じなら流体が通りやすいからである。図１の（３）と図５の（２）では導管（３）の流体の入り口（３−１）の形状は四角形であるが図４の（１）と（２）のように出口（３−２）に近づいていくと平ら状になりながら横幅が広くなり、導管の出口（３−２）の横方向の断面の形状は噴き出し口（４−６）の形状と同じ長穴の形状になっており矢印のａ、ｂ、ｃ、ｄの位置の導管の横方向の断面積は形状が変わっても同じになっていなければならない。流体は太線の矢印のように図の左側の導管の入り口（３−１）から入り導管（３）の中を通って図の右側の導管の横方向の平ら状の断面の長穴の出口（３−２）から出て行き、その出口と繋がっている後記する導管の取り付け器具（４−７）の中を通って噴き出し口（４−６）から遠心ファンのドーナツ状の空間（７−３）を通して放射状の羽根（１−４）に噴流する。
【００８５】
噴き出し口（４−６）を長穴にしたのは流体が遠心ファンの曲線状の羽根（１−４）の当たり面を長くするためである。噴き出し口（４−６）と導管の出口（３−２）の間に図４の（３）のように導管の取り付け器具（４−７）を設け、その取り付け器具（４−７）は横方向の断面穴が長穴の管でケーシングの上板（４−１）の噴き出し口（４−６）の下に固定して取り付け、ケーシングの下板（４−２）では噴き出し口（４−６）の上に取り付け、導管の取り付け器具（４−７）はケーシングの上板（４−１）の下では流体が入ってくる方向から斜めに上へ噴き出し口（４−６）に取り付けて、ケーシングの下板（４−２）の上では流体が入ってくる方向から斜めに下へ噴き出し口（４−６）に取り付けて流体がケーシングの導管に入る方向は図の右側からでありケーシングの前側になり太線の矢印で記している。導管（３）の中の流体は太線の矢印のように導管の取り付け器具（４−７）の中で流体が通ってくる方向から斜めに通って遠心ファン（１−１）と（１−２）の曲線状の羽根（１−４）に斜めに噴流して無駄なく当たるようにしてある。
【００８６】
ここで二つの遠心ファン（１−１）と（１−２）とそれらに取り付ける円筒軸（６）と二つの傘歯車（８−１）と（８−２）、それらの傘歯車と噛み合う伝動傘歯車（９−１）と水平軸（９）、遠心ファン（１−１）と（１−２）を被う流体保護カバー（１３）と発電機（１１）や圧縮機（１２）、中心軸（２）と土台（５）等を取り除いた図５のケーシング（４）とケーシング（４）の中の６本の導管（３）と上板（４−１）と下板（４−２）にある各３個の噴き出し口（４−６）を詳しく説明すれば、図５の（１）は図の下側をケーシング（４）の前側の正面として上から見ている平面図である。ケーシング（４）の上板（４−１）にある噴き出し口（４−６）は左側半分に中心穴（４−５）を基準としてその穴（４−５）の外側に円周配列で３個設けており、ケーシングの中心穴（４−５）の中心の前後方向の中心線の延長線の前から左に３０度のところに一つ目の前の噴き出し口（４−６）を設け、さらに後ろに６０度でケーシングの中心穴（４−５）の中心の左右の中心線の延長線の左に当たるところに二つ目の中の噴き出し口（４−６）を設け、さらに後ろに６０度のところに三つ目の後ろの噴き出し口（４−６）を設けている。
【００８７】
これら３個の噴き出し口（４−６）は図２に描かれた遠心ファン（１）をケーシング（４）の上側に遠心ファン（１−１）として取り付けた状態で遠心ファン（１−１）の放射状の曲線の羽根（１−４）の上と下に取り付けた円形のプレート（７）のうちの下の円形の分離プレート（７−２）の外周側円形分離プレート（７−２−１）の内径と中心側円形分離プレート（７−２−２）外径の間に形成されたドーナツ状の空間（７−３）と隙間を置いて重なる下に位置する。図５の（１）では遠心ファン（１−１）の下の二つの円形の分離プレート（７−２）の間のドーナツ状の空間（７−３）が位置するところに一点鎖線でドーナツ状の空間線（７−４）を左側の３個の噴き出し口（４−６）のあるところにそれらの半径方向の長穴の両端のケーシングの中心穴（４−５）側と外側に半円形で描いている。
【００８８】
ケーシングの上板の３個の噴き出し口（４−６）の下には導管の取り付け器具（４−７）があり、ケーシング（４）の中で導管（３）を取り付けた状態で導管（３）と共に点線で描いている。反対右側のケーシング（４）の下板（４−２）の噴き出し口（４−６）に向かう点線で描かれた右側の３本の導管（３）はその出口に三個の噴き出し口（４−６）に似た長穴があるが３本の導管（３）の出口（３−２）に取り付けた導管の取り付け器具（４−７）であり噴き出し口（４−６）ではない。噴き出し口（４−６）は導管の取り付け器具（４−７）で隠れている。
【００８９】
図５の（３）は図５の（２）の正面図のＥ−Ｅのケーシングの上板（４−１）の下面と四角形状の導管（３）の上面との間の断面を上から見た平面断面図である。ケーシング（４）の下板（４−２）にある噴き出し口（４−６）は右側半分に中心穴（４−５）を基準としてその穴（４−５）の外側に円周配列で３個設けており、ケーシングの中心穴（４−５）の中心の前後方向の中心線の延長線の前から右へ３０度のところに一つ目の前の噴き出し口（４−６）を設け、さらに後ろに６０度でケーシングの中心穴（４−５）の中心の左右の中心線の延長線の右に当たるところに二つ目の中の噴き出し口（４−６）を設け、さらに後ろに６０度のところに三つ目の後ろの噴き出し口（４−６）を設けている。
【００９０】
これら３個の噴き出し口（４−６）は図２に描かれた遠心ファン（１）をケーシング（４）の上側の遠心ファン（１−１）と向かい合わせでケーシング（４）の下側に取り付けた下側の遠心ファン（１−２）としてその放射状の曲線状の羽根（１−４）の上と下に取り付けた円形のプレート（７）のうちの上の円形の分離プレート（７−２）の外周側円形分離プレート（７−２−１）の内径と中心側円形分離プレート（７−２−２）の外径の間で形成されたドーナツ状の空間（７−３）と隙間を置いて重なる上に位置する。図５の（３）ではケーシングの上側の遠心ファン（１−１）に対して向かい合わせで反対に取り付けられた下側の遠心ファン（１−２）の上の円形の分離プレート（７−２）の間のドーナツ状の空間（７−３）が位置するところに一点鎖線でドーナツ状の空間線（７−４）を右側の３個の噴き出し口（４−６）があるところにその半径方向の長穴の両端のケーシングの中心穴（４−５）側と外側に半円形で描いている。
【００９１】
ケーシングの下板（４−２）の３個の噴き出し口（４−６）の上には導管の取り付け器具（４−７）があり、ケーシング（４）の中で導管（３）を取り付けた状態で導管（３）と共に実線で描いているがこれらの３個の噴き出し口（４−６）は導管の取り付け器具（４−７）で隠れているため長穴の半分を点線で描いている。反対左側のケーシング（４）の上板（４−１）の噴き出し口（４−６）に向かう左側の３本の導管（３）の出口（３−２）に噴き出し口（４−６）に似た長穴があるがＥ−Ｅの平面断面であるため３本の導管（３）の出口に取り付けた導管の取り付け器具（４−７）の断面であり噴き出し口（４−６）は上板（４−１）にあるため描かれてない。
【００９２】
噴き出し口（４−６）の導管の取り付け器具（４−７）で導管（３）の末端の出口（３−２）が取り付けられることにより、図１と図２と図３と図４と図５から流体がケーシング（４）の前側の６本の導管（３）の入り口（３−１）から入って導管（３）を通り導管の出口（３−２）と繋がる導管の取り付け器具（４−７）を介してケーシング（４）の上板（４−１）と下板（４−２）に設けた３個の噴き出し口（４−６）を通り、その噴き出し口（４−６）から上側の遠心ファン（１−１）の下の円形の分離プレート（７−２）の間のドーナツ状の空間（７−３）と下側の遠心ファン（１−２）の上の円形の分離プレート（７−２）の間のドーナツ状の空間（７−３）から流体が入り、その流体は遠心ファン（１−１）と（１−２）の曲線状の羽根（１−４）に噴流しながら流体の流力と遠心ファン（１−１）と（１−２）の回転の遠心力によって上側の遠心ファン（１−１）は時計回りに回転して下側の遠心ファン（１−２）は上側の遠心ファン（１−１）の反対方向に回転し、遠心ファンの外周の排出口（１−５）から流体を放出させることにより回転効率が高まり、ケーシング（４）の中ではケーシング（４）の上側と下側の遠心ファン（１−１）と（１−２）の円筒軸（６）にある傘歯車（８−１）と（８−２）の間にその間の後ろ側の水平方向から噛み合う伝動傘歯車（９−１）によって水平軸（９）を回転させ、その水平軸（９）と発電機や圧縮機の回転軸（１１−１）や（１２−１）を直接的、或いは伝動部品や他の軸を使って間接的に水平軸（９）と発電機や圧縮機の回転軸（１１−１）や（１２−１）を連結させることにより発電機（１１）や圧縮機（１２）を動かすことができるようになっている。
【００９３】
ここからの説明は請求項３に記載された上側の遠心ファン（１−１）が反時計方向に回転し下側の遠心ファン（１−２）は時計方向に回転する流体による回転機関装置は図面には描かれていませんがケーシング（４）の中の導管（３）と噴き出し口（４−６）の位置の説明をします。上側の遠心ファン（１−１）がケーシング（４）の前側正面の上側から見て反時計方向に回転する時は上板（４−１）の右側半分に３個の噴き出し口（４−６）を設け、それらの噴き出し口（４−６）はケーシング（４）の前側正面の右半分の３本の導管（３）と繋がり、それらの導管（３）の上の上板（４−１）の右側半分とその上側の遠心ファン（１−１）の下の二つの円形の分離プレート（７−２）の間のドーナツ状の空間（７−３）と隙間を置いて重なる位置にケーシング（４）の右半分に入っている３本の導管（３）と同数で噴き出し口（４−６）をケーシングの中心穴を基準としてその中心穴（４−５）から離れて円周配列で半径方向に長穴にして３個並べて設け、それらの噴き出し口（４−６）の長穴の下で導管の取り付け器具（４−７）を介して３本の導管の出口（３−２）と繋がっており、ケーシング（４）の中の右側半分の導管の中心側の一つ目の導管（３）はケーシングの中心穴（４−５）の中心の前後方向の中心線の延長線の前から右へ３０度ずらした位置にある前の噴き出し口（４−６）に繋がり、右側半分の導管の真ん中の二つ目の導管（３）はケーシングの中心穴（４−５）の中心の左右方向の中心線の延長線の右の位置にある中の噴き出し口（４−６）に繋がり、右側半分の導管の外側の三つ目の導管（３）は中の噴き出し口（４−６）から６０度後ろにずらした位置にある後ろの噴き出し口（４−６）に繋がっている。
【００９４】
下板（４−２）の噴き出し口（４−６）は下側の遠心ファン（１−２）は時計方向に回転するため上板（４−１）の噴き出し口（４−６）と上と下で斜めに対称の位置になるように下板（４−２）の左側半分に設け、それらの噴き出し口（４−６）はケーシング（４）の前側正面の左半分の３本の導管（３）と繋がり、それらの導管（３）の下の下板（４−２）の左側半分とその下側の遠心ファン（１−１）の上の二つの円形の分離プレート（７−２）の間のドーナツ状の空間（７−３）と隙間を置いて重なる位置でケーシング（４）の左側半分に入っている３本の導管（３）と同数で噴き出し口（４−６）をケーシングの中心穴（４−５）を基準としてその中心穴（４−５）から離れて円周配列で半径方向に長穴にして３個並べて設け、それらの噴き出し口（４−６）の長穴の上で導管の取り付け器具（４−７）を介して３本の導管の出口（３−２）と繋がっており、ケーシング（４）の中の左側半分の導管の中心側の一つ目の導管（３）はケーシングの中心穴（４−５）の中心の前後方向の中心線の延長線の前から３０度左へずらした位置にある前の噴き出し口（４−６）に繋がり、左側半分の導管の真ん中の二つ目の導管（３）はケーシングの中心穴（４−５）の中心の左右方向の中心線の延長線の左の位置にある中の噴き出し口（４−６）に繋がり、左側半分の導管の外側の三つ目の導管（３）は中の噴き出し口（４−６）から６０度後ろへずらした位置にある後ろの噴き出し口（４−６）に繋がっている。
【００９５】
上記のようにケーシング（４）の６本の導管（３）の左右の３本ずつの配分と上板（４−１）と下板（４−２）の噴き出し口（４−６）の３個ずつの配分をした理由は風による遠心ファンの回転を例として、従来の一つの遠心ファンを横にして寝かせて垂直軸に直交で回転可能な状態で一方向からの風を送り、上から見て時計方向に回転する時、遠心ファンの中心より左側半分で風を受け、残りの右半分は無駄な風になっている。残りの右半分の風を使うようにするには遠心ファンが時計方向に回転させる場合、導管を使ってＵターンさせ遠心ファンの中心より右側半分の羽根の後ろ側から風を送る方法があるが圧縮空気を使えば可能になるが風では導管内で滞留が起きて通風不可能になり風が導管の入り口から入ってこなくなる。本発明はこの無駄な風を有効に使うために同軸上で反対方向に回転する遠心ファンをもう一つ設けることにより無駄な風が無くなり、垂直軸になる固定された中心軸（２）に二つの遠心ファン（１−１）と（１−２）を同軸上で直交で二段にして反対方向にそれぞれに回転させることで上側と下側の遠心ファン（１−１）と（１−２）の間でそれらの羽根（１−４）に向かう導管（３）の左右の３本ずつの配分と噴き出し口（４−６）の３個ずつの配分を上側の遠心ファン（１−１）の中心より片側半分の羽根の下の位置と上と下で斜めに対称の位置の下側の遠心ファン（１−２）の中心より片側半分の羽根の上の位置から羽根に向かって風を噴流することにより一方向からの風を無駄なく有効に使えるようになっている。
【００９６】
ケーシング（４）の外の上側と下側を流れる流体に対して回転する遠心ファン（１−１）と（１−２）の外周にある排出口（１−５）から出る流体がケーシング（４）の外の上側と下側の流体に邪魔されないように図１の（１）と（２）と（３）のように上側と下側の遠心ファン（１−１）と（１−２）を被う流体保護カバー（１３）を設け、図１の（２）は流体保護カバー（１３）のカバー板（１３−２）を外してＵの字状の側板（１３−１）だけを取り付けてあり、上側の遠心ファン（１−１）とその放射状の曲線の羽根（１−４）と噴き出し口（４−６）と円筒軸（６）周辺をわかりやすくしてある。
【００９７】
流体保護カバー（１３）は図１の（１）と（２）において回転機関装置の前側、又はケーシングの前側になる正面上側から見て遠心ファンの外周に距離を置いてＵの字状の側板（１３−１）の中で遠心ファンを囲うようにＵの字状の底部をケーシングの前側に、Ｕの字状の上の開口部を後ろ側に位置させ、後ろ側を除いた前側の側板部分と両横の側板部分のＵの字状の側板（１３−１）の内側の上全面を覆うカバー板（１３−２）を取り付け一体化して二つ作るがケーシングの下側の遠心ファン（１−２）を被う流体保護カバー（１３）は土台（５）の中心軸（２）が通るためカバー板（１３−２）の中心軸（２）が通る位置に図１の（１）のように中心軸穴（１３−３）が開いており、上側の遠心ファン（１−１）の下のケーシング（４）の上板（４−１）と下側の遠心ファン（１−２）の上のケーシング（４）の下板（４−２）に流体保護カバー（１３）のＵの字状の側板（１３−１）で取り付けるようにして、遠心ファンの外周の排出口（１−５）から出る流体は流体保護カバー（１３）のＵの字状の上の開口部があるケーシング（４）の後ろ側から出て行くようになっている。図１の（１）と（２）の回転機関装置の前側にあたる左側の太線の矢印は流体が回転機関装置の前側から入る方向を示し、それらの図の右側の太線の矢印は回転機関装置の中を通って流体が出る方向を示している。
【００９８】
又、前方向から来る流体を導管の入り口（３−１）に入りやすくするためにケーシング（４）の前側の流体の入り口には導管の入り口（３−１）の前の周りにあたるところから図１の（１）と（２）と（３）と図５の（１）と（２）と（３）ように口元が開いているように流体の誘導板（１４）を導管（３）の口元から斜め外側向きに取り付け風が入りやすくしている。この流体の誘導板（１４）は台形の下辺が長い等脚台形の板を四角形の導管の入り口（３−１）の口元の四辺に上下左右四枚の等脚台形の上辺を合わせ等脚台形の斜辺どうしで合わせることにより四枚の等脚台形の下辺が外側に向いて口元が開くようになるが必要以上に誘導板（１４）を大きくすると流体が導管（３）の入り口（３−１）から入りにくくなり滞留を起こしやすくなる。
【００９９】
ここまでが一方向からの流体を取り入れる方向固定型の回転機関装置で風力による車載用の車両の屋根に取り付け発電機や圧縮機を駆動させる回転機関装置、水力発電による回転機関装置、蒸気力発電による回転機関装置の説明であるが、次に風力発電による一部の車載用、住宅用、山間部用、海岸部用に３６０度東西南北のどの方向からの風を取り入れる方向可動型の回転機関装置が備え付けられるように上記方向固定型の回転機関装置を使って図６の（１）と（２）のように回転機関装置の中心軸（２）を土台（５）より下側に長く出るようにして、土台（５）の下にさらに土台を設け、その土台を方向土台（１６）として方向土台（１６）の中心側に穴を開けてその穴に筒状の円筒軸を入れ垂直に固定して取り付、その筒状の円筒軸を方向円筒軸（１６−１）としてその内径の上と下にベアリング（１６−２）を入れ、回転機関装置の長くした中心軸（２）を上と下のベアリング（１６−２）の内輪に通して入れ回転可能に保持することで３６０度東西南北のどの方向にも向いて動くようにしている。
【０１００】
上記これらの方向可動型の構造によって小さな風力発電による回転機関装置では風が来る方向に回転機関装置の前側の風の入り口が風力だけで向いて動くように図６の（１）と（２）から方向土台（１６）の方向円筒軸（１６−１）の中心より後ろ側のケーシングの両横板（４−３）の上と下の前後方向に四枚の四角形状の一辺が斜辺のある板の方向羽根（１７）を立てて取り付け、両横板（４−３）の後ろ側の上の両側の方向羽根（１７）は斜辺の有る方を前側の上にしてケーシングの上板（４−１）より上側に長く出るように立てて板の下側で取り付け、両横板（４−３）の後ろ側の下の両側の方向羽根（１７）は斜辺の有る方を前側の下にしてケーシングの下板（４−１）より下側に長く出るように立てて板の上側で取り付けたことで風力によって３６０度東西南北のどの方向にも向いて動くようになり、一般の風力発電にも利用可能になる。
【０１０１】
図６の（１）と（２）からケーシングの両横板（４−３）の後ろ側の上と下の方向羽根（１７）を外した方向可動型の回転機関装置の土台（５）の下に上記長くした中心軸（２）を方向土台（１６）に固定して取り付けた方向円筒軸の下面（１６−３）の下側に長く出るようにするために、中心軸（２）をさらに長くして、方向円筒軸（１６−１）に長くした中心軸（２）を入れて方向円筒軸の下面（１６−３）の下側に出るようにすることでその中心軸（２）の下側に伝動部品（１９）が取り付けられるようになり図７のようにモーター駆動ができるようにしてある。図６の（２）の回転機関装置の前側にあたる左側の太線の矢印は流体が回転機関装置の前から入る方向を示し、それらの図の右側の太線の矢印は回転機関装置の中を通って流体が出る方向を示している。
【０１０２】
大きな風力発電による方向可動型の回転機関装置では図７のようにケーシング（４）が土台（５）の下の軸で方向を変えるため土台（５）とその土台（５）に支えられたケーシング（４）が偏荷重にならないためにバランスが取れるように土台（５）の下面で土台（５）の上にある中心軸（２）より後ろ側にずらした位置で他の軸を垂直で固定して取り付け、その軸を方向軸（１５）としてその方向軸（１５）を上記方向土台（１６）の方向円筒軸（１６−１）の内径の上と下にあるベアリング（１６−２）の内輪に入れることで回転機関装置がバランスの良い状態で３６０度東西南北のどの方向にも向いて動き、さらに土台（５）の下面で後ろ側にずらして固定して垂直で取り付けた方向軸（１５）を方向円筒軸の下面（１６−３）の下側に出るようにするために、方向軸（１５）をさらに長くして、方向円筒軸（１６−１）に長くした方向軸（１５）を入れて方向円筒軸の下面（１６−３）の下側に出るようにすることで方向軸（１５）の下側に伝動部品（１９）が取り付けられるようになり後記する図７のようにモーター（１８）駆動ができ３６０度東西南北のどの方向にも向いて動くようになる。図７の回転機関装置の前側にあたる左側の太線の矢印は流体が回転機関装置の前から入る方向を示し、それらの図の右側の太線の矢印は回転機関装置の中を通って流体が出る方向を示している。
【０１０３】
又、大きさに制限がある車載用の風力発電による回転機関装置とは違ってここで説明する回転機関装置は図６の（１）と（２）、図７のように高さ方向にも横方向にも制限が無いため図１の（３）の６本の導管（３）を二段にして１２本に増やし流体の入り口を１２箇所にしてそれに準じてケーシング（４）の上板（４−１）と下板（４−２）にある噴き出し口（４−６）を導管（３）と同数に増やしケーシング（４）の上側と下側にある遠心ファン（１−１）と（１−２）の各１２枚の放射状の曲線の羽根（１−４）の上と下で斜めに対称の位置にある中心より片側６枚の羽根（１−４）に同時に流体を送り込むことが出来るようになり、この発明の回転機関装置の水平軸（９）の回転軸トルクはさらに絶大になる。
【０１０４】
本発明は実施するための形態において上記に説明したことを特徴とする特許請求の範囲の請求項１と請求項２と請求項３と請求項４と請求項５と請求項６記載の風力、水力、蒸気力で動く流体による回転機関装置である。
【実施例】
【０１０５】
遠心ファンを横に寝かせて垂直軸の中心軸（２）に直交で同軸上で二段にして二つの遠心ファン（１−１）と（１−２）を上と下に向かい合わせで回転可能に設け、上と下の遠心ファン（１−１）と（１−２）はそれぞれに反対方向に回転し、上と下の遠心ファン（１−１）と（１−２）の間に６本の導管（３）を設け、一方向からの流体を６本の導管の入り口（３−１）から取り込み、その導管の出口（３−２）にある噴き出し口（４−６）から上と下にある遠心ファン（１−１）（１−２）の各１２枚の羽根（１−４）の上と下で斜めに対称の位置にある中心より片側半分の羽根（１−４）に流体を一枚飛びで同時に噴流させることにより遠心ファンを回転させ遠心力によって流体を遠心ファンの外周の排出口（１−５）から放出させることにより回転効率を高めるが、ここで重要となるのは導管（３）を通る流体をどのように効率良く通し上と下の遠心ファン（１−１）と（１−２）を回転させるかである。
【０１０６】
実験では流体の流れが導管（３）の曲げによる抵抗で滞留を起こしやすくなり流体が入りにくくなってくるため、導管（３）はその入り口（３−１）から真っ直ぐにして流体を通すのが良いが、導管（３）を曲げるなら大きくカーブさせることである。
【０１０７】
流体が通る導管（３）の横方向の断面積は導管の入り口（３−１）の横方向の断面形に対して導管の出口（３−２）の手前から横方向の断面形が変わってきても同じ断面積にするが、流体が導管を通る抵抗を考えて導管の入り口から出口に至る過程で横方向の断面積を徐々に広くすることで流体の通りが良くなる。
【０１０８】
導管（３）は流体の流量が一番多く取れる横方向の断面が四角形のものが好ましく、風力、蒸気力による回転機関装置においては重量が軽い樹脂製のものが良い。導管（３）は曲げやすいものが良く、特に図４のように噴き出し口（４−６）の導管の取り付け器具（４−７）に繋げる導管の出口（３−２）側は曲げやすいものが良い。
【０１０９】
ケーシング（４）の正面前側の導管（３）が入る流体の入り口には導管（３）に流体が入りやすいように図１、図５のように導管（３）の前の周りのあたる部分からに口元が開いているように流体の誘導板（１４）を周りの外側へ斜めに取り付けたほうが良い。必要以上に流体の誘導板（１４）を大きくするとかえって導管（３）に流体が入りにくくなる。
【０１１０】
ケーシングの上側と下側の外の流体が遠心ファンの排出口（１−５）から出る流体の妨げにならないように図１のようにケーシング（４）の上側の遠心ファン（１−１）の上板（４−１）と下側の遠心ファン（１−２）の下板（４−２）に遠心ファンの被せるように遠心ファンの外周に距離を置いてＵの字状の側板（１３−１）の中で遠心ファンを囲うようにＵの字状の底部をケーシングの前側にＵの字状の上の開口部を後ろ側に位置させ、後ろ側を除いた前側の側板部分と両横の側板部分のＵの字状の側板（１３−１）の内側の上全面を覆うカバー板（１３−２）を取り付けそれらを一体化した流体保護カバーを（１３）を設置することで遠心ファンの排出口（１−５）から出る流体がケーシング（４）の外の上側と下側の流体に邪魔されない効果と防音効果がある。
【０１１１】
風力発電の方向可動型の回転機関装置において方向土台（１５）を使って風が来る方向に向くように回転機関装置を動かすには、図６のように小さい回転機関装置では方向土台（１６）の方向円筒軸（１６−１）の中心より後ろ側のケーシングの前後方向に方向羽根（１７）を立てて取り付けるが、大きい流体発電装置では中心軸（２）や土台（５）の下で後ろ側に垂直にずらして固定して取り付けた方向軸（１５）を方向円筒軸の下面（１６−３）の下側に出るように長くすることで、方向円筒軸（１６−１）の下側に出た中心軸（２）や方向軸（１５）に伝動部品（１９）を取り付けられるようになることでモーター（１８）駆動できるようなり、電気制御、電子制御により風センサーを使って風が来る方向にモーターで回転機関装置正面前側を向けて動かすことができる。
【０１１２】
大型の方向可動型の回転機関装置は高さ方向にも横方向にも制限が無いため、図６と図７のように６本の導管（３）を二段にして１２本としてそれに準じてケーシング（４）の上板（４−１）と下板（４−２）の片側半分にある噴き出し口（４−６）を導管（３）と同数に増やしケーシング（４）の上側と下側にある遠心ファン（１−１）と（１−２）のそれぞれ１２枚の曲線状の羽根（１−４）の内の上と下で斜めに対称の位置になる上側と下側の中心軸（２）より片側６枚の羽根（１−４）に同時に流体を噴流することが出来るようになり、遠心ファン一つで流体を受けて回転する１２枚の羽根に同時に噴き付けたことと同じことになり、この発明の流体による回転機関装置の水平軸（９）の回転軸トルクはさらに増大する。  
【０１１３】
水力発電においては従来の滝のように水を落として水車を回転させる方法と、川の流れを利用してこの発明の図１の方向固定型の回転機関装置を水車になる遠心ファン（１）を中心軸（２）が水面に対して垂直状態で回転機関装置を水面より下に沈ませ設置するが発電機が水に浸からないように図１の回転機関装置のケーシング（４）の後ろ板（４−４）に発電機（１２）を取り付けずに水平軸（９）を後ろ板（４−４）の穴（４−４−１）を通して外に出るように長くして、途中、伝動部品を介して上、左上、右上のいずれかの方向に他の軸を設け、その軸と発電機の回転軸を連結させて独立して発電機を設置する方法により、この発明の流体による回転機関装置の上のほうに独立して発電機を設置して回転機関装置の水平軸（９）を長くしてその水平軸の後に傘歯車を取り付け、発電機の回転軸にも傘歯車を取り付け、水平軸と回転機関装置の上方にある発電機の傘歯車の間に縦方向の軸を設けその縦方向の軸の両側につけた傘歯車を介して連結して駆動させる方法か、この発明の流体による回転機関装置の上のほうに独立して発電機を設置して回転機関装置の長くした水平軸の後側にプーリーを取り付け、回転機関装置の上方にある発電機の回転軸にもプーリーを取り付けその間でベルト駆動させる方法もある。
【０１１４】
蒸気力発電においては図１の方向固定型の回転機関装置の縦置き、横置きに関係なく設置し、温泉地帯や火山地帯の蒸気の噴き出し口から出る蒸気を外の導管を通してこの発明の流体による回転機関装置の前側にある導管の入り口（３−１）に繋ぎ合わせるか、外の導管と回転機関装置の入り口の導管（３）の間にタンクのようなものを設置し、複数の蒸気の噴き出し口から蒸気が外の複数の導管を通りタンクに入り、タンクから別の複数の導管を通して回転機関装置の入り口にある複数の導管の入り口（３−１）と繋ぎ合わせる。タンクを使うのは蒸気を均等に回転機関装置の入り口の複数の導管（３）に入れるためである。
【０１１５】
この発明の図１の方向固定型の流体による回転機関装置を乗用車、トラック、バスの屋根に乗せる場合、回転機関装置の水平軸（９）とその後ろに発電機の回転軸（１１−１）やエアコンの圧縮機の回転軸（１２−１）を連結させるが、ＥＶやハイブリッドの車両の場合は発電装置として、普通のエンジンだけの車両の場合はエアコンのコンプレッサー装置として取り付けたほうが良い。又、発電機と圧縮機の両方を使いたい場合は水平軸（９）をケーシング（４）の後ろ板の穴（４−４−１）から外へ出るように長くして水平軸（９）の末端と発電機の回転軸の間に電磁クラッチを取り付け、その電磁クラッチを取り付けている水平軸の末端位置とケーシング（４）の後ろ板の穴（４−４−１）から外側に出ている水平軸の位置の途中に傘歯車を取り付け、その傘歯車は横方向から他の軸の前側に取り付けた傘歯車と噛み合い、横方向からの他の軸の後ろ側と圧縮機の回転軸の間に電磁クラッチを取り付け発電機と圧縮機を交互に、或いは両方を動かすことができる。
【産業上の利用可能性】
【０１１６】
この発明の流体による回転機関装置は遠心ファンを横にして垂直軸に直交で回転させることで扁平的にコンパクトな形状になっているため、風力発電においては将来的に乗用車、トラック、バス、船舶、建物の屋根に取り付けられるようになり産業上の利用可能性が大いにある。
【０１１７】
特にＥＶとハイブリッドの乗用車、トラック、バスの屋根の上にこの発明の方向固定型の流体による回転機関装置を載せて走っている時は相当な風力が得られ風力発電の効果と電池への充電率は絶大であり、遠心ファンの回転による遠心力効果により導管（３）内の風の滞留抵抗が少なくなるため本発明を車の屋根に載せることで風の抵抗による車の走行速度ダウンは非常に少なく産業上の利用可能性が大いにある。
【０１１８】
カーエアコンにおいて普通の乗用車、トラック、バスの屋根の上にこの発明の方向固定型の回転機関装置を載せて走っている時は相当な風力が得られるため回転機関装置の後ろ側の水平軸（９）とエアコンの圧縮機の回転軸（１２−１）と連結させることによりカーエアコンとしての実用的な効果があり、エンジンでカーエアコンの圧縮機の回転軸を動かすことによる燃費が悪くなるという欠点を補い、走行燃費が良くなることで産業上の利用可能性が大いにある。
【０１１９】
又、この発明の流体による回転機関装置は従来の風力発電の欠点である騒音に対しても遠心ファンの放射状の羽根（１−４）の上と下に円形のプレート（７）が取り付けて一体化させて回転するため羽根（１−４）による風切り面が少なくなり風切り音が非常に少なく静かになり、又、上側と下側の遠心ファン（１−１）と（１−２）を被う流体保護カバー（１３）によってさらに静かになり防音に優れており産業上の利用可能性が大いにある。
【０１２０】
また、一部の車載用、住宅用、山間部用、海岸部用の風力発電においてもこの発明の流体による回転機関装置の本体が自由に東西南北の方向に向いて動くように土台（５）の下に長くした中心軸（２）、土台（５）の下で後ろ側に垂直にずらして固定して取り付けた方向軸（１５）を方向土台（１６）に固定して取り付けた方向円筒軸（１６−１）の下側に出るようにすることで、方向円筒軸（１６−１）の下側に出た中心軸（２）や方向軸（１５）に伝動部品を取り付けモーター駆動できるように方向可動型になっていることで産業上の利用可能性が大いにある。
【０１２１】
さらに風力による小型の方向可動型の回転機関装置が前記方向決めのモーターを使わずに風が来る方向に回転機関装置のケーシング（４）の前側の風の入り口を風が来る方向に風力だけで向いて動くように方向土台の（１６）の方向円筒軸（１６−１）の中心より後ろ側のケーシングの前後方向に方向羽根（１７）を立てて取り付けたことで産業上の利用可能性が大いにある。
【０１２２】
また水力発電においても従来の滝のように水を落として水車を回転させる方法と、川の流れを利用してこの発明の図１の固定型の回転機関装置を水車になる遠心ファンを中心軸（２）が川の水面に対して垂直状態で水面より下に沈ませ設置することで流体発電装置の入り口の導管（３）から水が入りその水は遠心ファンを回転させこの装置の上と下にある流体保護カバー（１３）の後ろから外へと流れて行くような構造にしたことで水力発電においても産業上の利用可能性が大いにある。
【０１２３】
蒸気力発電においては図１の固定型の回転機関装置の縦置き、横置きに関係なく設置することができ温泉地帯や火山地帯の蒸気の噴き出し口から出る蒸気を別の導管を通してこの発明の流体による回転機関装置の前側にある導管の入り口（３−１）に繋ぎ合わせることでこの発電装置の導管（３）から蒸気が入りその蒸気は遠心ファンを回転させ上と下にある流体保護カバー（１７）の後ろから外へ出て行くような構造になっていることで蒸気力発電においても産業上の利用可能性が大いにある。
【０１２４】
大型の方向固定型、方向可動型の流体による回転機関装置は高さ方向にも横方向にも制限が無いため図６、図７のように６本の導管（３）を二段にして１２本としてそれに準じてケーシング（４）の上板（４−１）と下板（４−２）にある噴き出し口（４−６）を導管（３）と同数に増やしケーシング（４）の上側と下側にある遠心ファン（１−１）と（１−２）のそれぞれ１２枚の放射状の羽根（１−４）の上と下で斜め対称の位置にある中心より片側６枚の羽根（１−４）に同時に流体を送り込むことが出来るようになり、遠心ファン一つで流体を受けて回転する１２枚の羽根に同時に噴き付けたことと同じことになり、この発明の流体による回転機関装置の水平軸（９）の回転軸トルクはさらに増大になるという効果があり、産業上の利用可能性が大いにある。  
【符号の説明】
【０１２５】
１遠心ファン
１−１上側の遠心ファン
１−２下側の遠心ファン
１−３ボス
１−４羽根
１−５排出口  
２中心軸  
３導管
３−１導管の入り口
３−２導管の出口  
４ケーシング
４−１上板
４−２下板
４−３横板
４−４後ろ板
４−４−１後ろ板の穴
４−５ケーシングの中心穴
４−６噴き出し口
４−７導管の取り付け器具  
５土台
５−１ケーシング支え板  
６円筒軸
６−１ベアリング  
７円形のプレート
７−１円形の一枚プレート
７−２円形の分離プレート  
７−２−１外周側円形分離プレート  
７−２−２中心側円形分離プレート
７−３ドーナツ状の空間
７−４ドーナツ状の空間線
７−５円形のプレートの中心穴
８傘歯車  
８−１上の傘歯車
８−２下の傘歯車  
９水平軸
９−１伝動傘歯車
９−２カップリング
１０筒状の軸受け
１０−１ベアリング
１０−２軸受け支え板
１１発電機
１１−１発電機の回転軸
１２圧縮機
１２−１圧縮機の回転軸  
１３流体保護カバー
１３−１Ｕの字状の側板
１３−２カバー板
１３−３中心軸穴
１４流体の誘導板
１５方向軸
１６方向土台
１６−１方向円筒軸
１６−２ベアリング
１６−３方向円筒軸の下面
１７方向羽根
１８モーター
１９伝動部品
【図１】
0005438174.tif 000002
【図２】
0005438174.tif 000003
【図３】
0005438174.tif 000004
【図４】
0005438174.tif 000005
【図５】
0005438174.tif 000006
【図６】
0005438174.tif 000007
【図７】
0005438174.tif 000008